(57)【特許請求の範囲】
【請求項１】
印刷を行う爪を含む指を撮影して指画像を取得する撮影部と、
前記撮影部によって取得された前記指画像から、前記爪の表面に対応する爪領域を抽出し、前記爪領域の輪郭線の座標値と、前記爪領域の面積と、を検出する爪領域情報検出部と、
少なくとも１つのデザイン要素を、前記爪領域を含む領域に配置した印刷用デザイン画像を特定のデザイン画像に基づいて生成する印刷用デザイン画像生成部と、
前記印刷用デザイン画像の前記デザイン要素が前記爪領域内に配置されているか否かを判断する要素位置判断部と、
前記印刷用デザイン画像に基づいて前記爪にインクを塗布する印刷ヘッドを有する印刷
部と、
を備え、
前記デザイン要素は特定の図形に設定され、
前記特定のデザイン画像は、前記デザイン要素が、予め設定された形状の基準爪モデルに対して配置された画像であり、
前記印刷用デザイン画像生成部は、前記印刷用デザイン画像において、前記デザイン要素を、前記特定のデザイン画像での前記基準爪モデルにおける前記デザイン要素の配置位置に対応した位置に配置し、前記デザイン要素の大きさを、前記爪領域の面積の前記基準爪モデルの面積に対する比率に比例した値に設定することを特徴とするネイルプリント装置。
【請求項２】
前記要素位置判断部は、前記印刷用デザイン画像の前記デザイン要素の座標値と、前記爪領域の輪郭線の座標値との比較に基づいて、前記デザイン要素が前記爪領域内に配置されているか否かを判断することを特徴とする請求項１に記載のネイルプリント装置。
【請求項３】
更に、前記印刷用デザイン画像の前記爪領域に対する位置及び前記印刷用デザイン画像の大きさの少なくとも何れか一方を調整するデザイン画像調整部を有し、
前記デザイン画像調整部は、前記要素位置判断部により前記印刷用デザイン画像の前記デザイン要素が前記爪領域内に配置されていないと判断されたとき、前記要素位置判断部により前記印刷用デザイン画像の前記デザイン要素が前記爪領域内に配置されていると判断されるまで、前記印刷用デザイン画像の前記爪領域に対する位置及び前記印刷用デザイン画像の大きさの少なくとも何れか一方を調整することを特徴とする請求項１又は請求項２に記載のネイルプリント装置。
【請求項４】
前記印刷部は、前記印刷ヘッドにより、前記デザイン画像調整部による調整後の前記印刷用デザイン画像に基づく画像を、前記爪領域の、前記デザイン画像調整部により調整された位置に印刷することを特徴とする請求項３に記載のネイルプリント装置。
【請求項５】
前記印刷用デザイン画像生成部は、第１の方向に沿った第１，第２の辺と、前記第１の方向に直交する第２の方向に沿った第３，第４の辺を有し、前記第１から第４の辺が前記基準爪モデルの輪郭線に接する、矩形状の基準枠を設定し、前記第１の方向に沿った第５，第６の辺と、前記第２の方向に沿った第７，第８の辺を有し、前記第５から第８の辺が前記爪領域の輪郭線に接する、矩形状の爪領域枠を設定し、前記印刷用デザイン画像における前記デザイン要素の中心が配置される位置の前記第５の辺に沿った位置を、前記特定のデザイン画像における前記デザイン要素の中心が配置される位置の前記第１の辺に沿った位置に対応した位置に設定し、前記印刷用デザイン画像における前記デザイン要素の中心が配置される位置の前記第７の辺に沿った位置を、前記特定のデザイン画像における前記デザイン要素の中心が配置される位置の前記第３の辺に沿った位置に対応した位置に設定することを特徴とする請求項３又は請求項４に記載のネイルプリント装置。
【請求項６】
更に、互い異なる複数のデザイン画像が記憶されているデザイン画像記憶部と、前記デザイン画像記憶部に記憶されている前記複数のデザイン画像のうちの１つを、前記特定のデザイン画像として選択するデザイン選択部と、を備えることを特徴とする請求項５に記載のネイルプリント装置。
【請求項７】
前記爪領域情報検出部は、前記爪領域の前記第１の方向の長さ寸法と、前記第２の方向の長さ寸法と、を検出し、
前記デザイン画像記憶部は、前記複数のデザイン画像の各々に対して、前記デザイン要素の大きさを示すサイズデータ、前記デザイン要素の前記基準爪モデルにおける位置を示す位置データ、前記デザイン要素に対応したイメージデータと、を記憶しており、
前記印刷用デザイン画像生成部は、前記デザイン要素の前記サイズデータ及び前記位置データと、前記爪領域の面積、前記爪領域の前記第１の方向の長さ寸法及び前記第２の方向の長さ寸法と、に基づいて、前記基準枠と前記爪領域枠とを設定し、前記印刷用デザイン画像における、前記デザイン要素の大きさ及び位置を算出する要素レイアウト算出部を有することを特徴とする請求項６に記載のネイルプリント装置。
【請求項８】
前記デザイン画像調整部は、前記爪領域に対する前記印刷用デザイン画像の位置を移動させるデザイン画像移動部を有し、
前記デザイン画像移動部は、
１辺が前記第１の方向に沿った矩形状を有し、前記矩形状の各辺が前記印刷用デザイン画像の前記デザイン要素の最外縁に接している外周枠(F1)を設定する外周枠設定部と、
前記外周枠の座標値と、前記爪領域の輪郭線の座標値と、の比較に基づいて、前記外周枠が前記爪領域内に収まっているか否かを判断する外周枠位置判断部と、
前記外周枠位置判断部によって前記外周枠が前記爪領域内に収まっていないと判断されたときに、前記外周枠の位置及び大きさの少なくとも一方を調整する外周枠調整部と、
を有し、
前記外周枠位置判断部により、前記外周枠調整部による調整後の前記外周枠が前記爪領域内に収まっていると判断されたときに、前記印刷用デザイン画像を、その中心点が前記調整後の前記外周枠の中心点と一致する位置まで移動させることを特徴とする請求項５か
ら請求項７のいずれか一項に記載のネイルプリント装置。
【請求項９】
前記デザイン画像調整部は、更に、前記印刷用デザイン画像を縮小するデザイン画像縮小部を有し、
前記要素位置判断部は、前記デザイン画像移動部による移動後の前記印刷用デザイン画像の画像データに含まれる前記デザイン要素の座標値と、前記爪領域の輪郭線の座標値と、の比較に基づいて、前記デザイン要素が前記爪領域内に収まっているか否かを判断し、
前記デザイン画像縮小部は、前記要素位置判断部により、前記移動後の前記デザイン要素の少なくとも一部が前記爪領域内に収まっていないと判断されたとき、前記印刷用デザイン画像を縮小することを特徴とする請求項８に記載のネイルプリント装置。
【請求項１０】
前記デザイン画像縮小部は、前記外周枠調整部による調整後の前記外周枠の、前記調整前の前記外周枠に対する縮小率に対応した比率で、前記印刷用デザイン画像を縮小することを特徴とする請求項９に記載のネイルプリント装置。
【請求項１１】
前記デザイン画像縮小部は、
前記外周枠調整部による調整後の前記外周枠の座標値と前記調整前の前記外周枠の座標値との各対応座標の平均値を算出し、前記平均値を座標値とする中間外周枠を設定する中間外周枠設定部を有し、
前記中間外周枠内に収まる大きさに、前記印刷用デザイン画像を縮小することを特徴とする請求項９又は請求項１０に記載のネイルプリント装置
【請求項１２】
印刷を行う爪を含む指を撮影して指画像を取得し、
取得した前記指画像から、前記爪の表面に対応する爪領域を抽出し、
前記爪領域の輪郭線の座標値と、前記爪の面積と、を検出し、
少なくとも１つの、特定の図形に設定されたデザイン要素を、前記デザイン要素が、予め設定された形状の基準爪モデルに対して配置された特定のデザイン画像に基づいて、前記爪領域を含む領域に配置して、印刷用デザイン画像を生成し、
前記印刷用デザイン画像の前記デザイン要素が前記爪領域内に収まっているか否かを判断し、
前記印刷用デザイン画像の前記デザイン要素が前記爪領域内に収まっていないと判断されたとき、前記印刷用デザイン画像の前記デザイン要素が前記爪領域内に収まっていると判断されるまで、前記印刷用デザイン画像の前記爪領域に対する位置及び前記印刷用デザイン画像の大きさの少なくとも何れか一方を調整する動作を含み、
前記印刷用デザイン画像を生成する動作において、前記デザイン要素を、前記特定のデザイン画像での前記基準爪モデルにおける前記デザイン要素の配置位置に対応した位置に配置し、前記デザイン要素の大きさを、前記爪領域の面積の前記基準爪モデルの面積に対する比率に比例した値に設定することを特徴とする印刷制御方法。
【請求項１３】
更に、前記デザイン要素が前記爪領域内に収まるように調整した後に、前記印刷用デザイン画像に基づく画像を、前記爪領域に、調整された大きさで、調整された位置に印刷する動作を含むことを特徴とする請求項１２に記載の印刷制御方法。
【請求項１４】
前記デザイン要素が前記爪領域内に収まっているか否かを判断する動作は、前記印刷用デザイン画像の前記デザイン要素の座標値と、前記爪領域の輪郭線の座標値とを比較して、前記デザイン要素が前記爪領域内に収まっているか否かを判断する動作を含むことを特徴とする請求項１２又は請求項１３に記載の印刷制御方法。
【請求項１５】
前記印刷用デザイン画像を生成する動作は、第１の方向に沿った第１，第２の辺と、前記第１の方向に直交する第２の方向に沿った第３，第４の辺を有し、前記第１から第４の辺が前記基準爪モデルの輪郭線に接する、矩形状の基準枠を設定し、前記第１の方向に沿った第５，第６の辺と、前記第２の方向に沿った第７，第８の辺を有し、前記第５から第８の辺が前記爪領域の輪郭線に接する、矩形状の爪領域枠を設定し、前記印刷用デザイン画像における前記デザイン要素の中心が配置される位置の前記第５の辺に沿った位置を、前記特定のデザイン画像における前記デザイン要素の中心が配置される位置の前記第１の辺に沿った位置に対応した位置に設定し、前記印刷用デザイン画像における前記デザイン要素の中心が配置される位置の前記第７の辺に沿った位置を、前記特定のデザイン画像における前記デザイン要素の中心が配置される位置の前記第３の辺に沿った位置に対応した位置に設定する動作を含むことを特徴とする請求項１２から請求項１４のいずれか一項に記載の印刷制御方法。
【請求項１６】
前記デザイン画像を調整する動作は、１辺が前記第１の方向に沿った矩形状を有し、前記印刷用デザイン画像の前記デザイン要素の最外縁に接する外周枠を設定し、前記外周枠の座標値と、前記爪領域の輪郭線の座標値と、を比較して、前記外周枠が前記爪領域内に収まっているか否かを判断し、前記外周枠が前記爪領域内に収まっていないと判断されたときに、前記外周枠の位置及び大きさの少なくとも一方を調整し、前記調整後の前記外周枠が前記爪領域内に収まっていると判断されたときに、前記印刷用デザイン画像を、その中心点が調整後の前記外周枠の中心点と一致する位置まで移動させる動作を含むことを特徴とする請求項１５に記載の印刷制御方法。
【請求項１７】
前記デザイン画像を調整する動作は、前記移動させた後の前記印刷用デザイン画像の画像データに含まれる前記デザイン要素の座標値と、前記検出された前記爪領域の輪郭線の座標値と、を比較して、前記デザイン要素が前記爪領域内に収まっているか否かを判断し、前記移動後の前記デザイン要素の少なくとも一部が前記爪領域内に収まっていないと判断されたとき、調整後の前記外周枠の、調整前の前記外周枠に対する縮小率に対応した比率で前記印刷用デザイン画像を縮小する動作を含むことを特徴とする請求項１６に記載の印刷制御方法。
【請求項１８】
前記印刷用デザイン画像を縮小する動作は、調整後の前記外周枠の座標値と調整前の前記外周枠の座標値との各対応座標の平均値を算出し、前記平均値を座標値とする中間外周枠を設定し、前記印刷用デザイン画像を、前記中間外周枠内に収まる大きさまで縮小する動作を含むことを特徴とする請求項１７に記載の印刷制御方法。
【発明の詳細な説明】
【技術分野】
【０００１】
本発明は、ネイルプリント装置及び印刷制御方法に関するものである。
【背景技術】
【０００２】
ネイルプリント装置は、印刷しようとする爪の指を、装置本体に設けた指載置台上に位置決めし、この位置決めされた指の爪に色や絵柄等のデザイン画像を印刷するプリント装置であり、こうしたネイルプリント装置では、ユーザが自分の爪に印刷したいデザイン画像を選択し、選択されたデザイン画像が指の爪部の領域（以下「爪領域」という。）に印刷される。
【０００３】
そして、従来は、デザイン画像は一つの画像データとしてネイルプリント装置内等の記憶部に保持されており、この画像データ全体の縮尺をユーザの爪領域のサイズや形状等に応じて調整して印刷する手法がとられている（例えば、特許文献１参照）。
【先行技術文献】
【特許文献】
【０００４】
【特許文献１】特表２００３−５３４０８３号公報
【発明の概要】
【発明が解決しようとする課題】
【０００５】
しかしながら、デザイン画像の画像データ全体の縮尺を変えるだけでは、デザイン画像に含まれている個々の絵柄が歪んでしまったり、絵柄部分と爪領域の境界線との間の間隔が不自然に開き過ぎたり詰まり過ぎたりすることがある。
この場合、たとえ爪領域内にデザイン画像が収まったとしても、実際に爪領域に印刷される画像がユーザによって選択されたデザイン画像のイメージと異なってしまい、ユーザの所望するイメージ通りのデザインを適切に印刷することができないという問題がある。
【０００６】
また、爪領域の形状は個々に異なるため、単に画像データを縮小したのでは、実際に印刷した際、個々の絵柄の一部が爪領域からはみ出してしまったり、小さく縮小し過ぎてイメージ通りの印刷を行うことができない場合もあり得る。
【０００７】
この点、例えば、デザイン画像に含まれる個々の絵柄についてユーザが微調整することができれば、このような個々の絵柄の歪みや爪領域からのはみ出し等を防ぐことができる。しかし、このような微調整を行うには時間と手間を要し、ユーザにとって煩わしいという問題もある。
【０００８】
本発明は以上のような事情に鑑みてなされたものであり、ユーザの手を煩わせることなく、自動的に、ユーザが選択したデザイン画像のイメージにできるだけ近似したデザインをできるだけ大きくユーザの爪領域に印刷することのできるネイルプリント装置及び印刷制御方法を提供することを目的とするものである。
【課題を解決するための手段】
【０００９】
前記課題を解決するために、請求項１に記載のネイルプリント装置は、
印刷を行う爪を含む指を撮影して指画像を取得する撮影部と、
前記撮影部によって取得された前記指画像から、前記爪の表面に対応する爪領域を抽出し、前記爪領域の輪郭線の座標値と、前記爪領域の面積と、を検出する爪領域情報検出部と、
少なくとも１つのデザイン要素を、前記爪領域を含む領域に配置した印刷用デザイン画像を特定のデザイン画像に基づいて生成する印刷用デザイン画像生成部と、
前記印刷用デザイン画像の前記デザイン要素が前記爪領域内に配置されているか否かを判断する要素位置判断部と、
前記印刷用デザイン画像に基づいて前記爪にインクを塗布する印刷ヘッドを有する印刷部と、
を備え、
前記デザイン要素は特定の図形に設定され、
前記特定のデザイン画像は、前記デザイン要素が、予め設定された形状の基準爪モデルに対して配置された画像であり、
前記印刷用デザイン画像生成部は、前記印刷用デザイン画像において、前記デザイン要素を、前記特定のデザイン画像での前記基準爪モデルにおける前記デザイン要素の配置位置に対応した位置に配置し、前記デザイン要素の大きさを、前記爪領域の面積の前記基準爪モデルの面積に対する比率に比例した値に設定することを特徴としている。
【００１０】
また、請求項１２に記載の印刷制御方法は、
印刷を行う爪を含む指を撮影して指画像を取得し、
取得した前記指画像から、前記爪の表面に対応する爪領域を抽出し、
前記爪領域の輪郭線の座標値と、前記爪の面積と、を検出し、
少なくとも１つの、特定の図形に設定されたデザイン要素を、前記デザイン要素が、予め設定された形状の基準爪モデルに対して配置された特定のデザイン画像に基づいて、前記爪領域を含む領域に配置して、印刷用デザイン画像を生成し、
前記印刷用デザイン画像の前記デザイン要素が前記爪領域内に収まっているか否かを判断し、
前記印刷用デザイン画像の前記デザイン要素が前記爪領域内に収まっていないと判断されたとき、前記印刷用デザイン画像の前記デザイン要素が前記爪領域内に収まっていると判断されるまで、前記印刷用デザイン画像の前記爪領域に対する位置及び前記印刷用デザイン画像の大きさの少なくとも何れか一方を調整する動作を含み、
前記印刷用デザイン画像を生成する動作において、前記デザイン要素を、前記特定のデザイン画像での前記基準爪モデルにおける前記デザイン要素の配置位置に対応した位置に配置し、前記デザイン要素の大きさを、前記爪領域の面積の前記基準爪モデルの面積に対する比率に比例した値に設定することを特徴としている。
【発明の効果】
【００１１】
本発明によれば、ユーザにより選択されたデザイン画像に含まれているデザインパーツの全てがユーザの爪領域内に収まっているか否かを判断し、デザインパーツの一部が爪領域内に収まっていないと判断されると、デザインパーツの全てが爪領域内に収まるようにデザイン画像を縮小または移動させた後に、デザイン画像を爪領域に印刷することができる。このため、ユーザの爪領域の面積や縦横の長さ寸法に応じてデザイン画像の大きさや位置等を調整することができ、各デザインパーツの形状が崩れたり、各デザインパーツ間の位置関係、各デザインパーツと爪領域の端部との位置関係が変わるのを防ぐことができるとともに、ユーザが選択したデザイン画像をそのイメージに近い形でできるだけ大きくユーザの爪領域に印刷することができるとの効果を奏する。
【図面の簡単な説明】
【００１２】
【図１】本発明に係るネイルプリント装置の一実施形態を概念的に示した斜視図で、蓋体を開いた状態を示している。
【図２】図１のネイルプリント装置の装置本体を概念的に示した斜視図である。
【図３】図１のネイルプリント装置の印刷指固定手段を示した断面図で、印刷指として人差し指から小指を印刷指挿入部に挿入した際の固定態様を示している。
【図４】図１のネイルプリント装置の正面側の断面図である。
【図５】図１のネイルプリント装置の側断面図である。
【図６】デザイン選択画面の一例を示す図である。
【図７】デザイン確認用画面の一例を示す図である。
【図８】本実施形態に係るネイルプリント装置の制御構成を示した要部ブロック図である。
【図９】基準爪モデル上にデザイン画像ｅを配置した図である。
【図１０】デザイン画像ｅのデータ構成例を示す図である。
【図１１】デザイン画像ｅのＮｏ．１のデザインパーツの横方向及び縦方向の０％位置及び１００％位置の定め方を説明する説明図である。
【図１２】デザイン画像ｅのＮｏ．３のデザインパーツの横方向及び縦方向の０％位置及び１００％位置の定め方を説明する説明図である。
【図１３】基準爪モデル上にデザイン画像ｂを配置した図である。
【図１４】デザイン画像ｂのデータ構成例を示す図である。
【図１５】本実施形態における印刷制御処理を示すフローチャートである。
【図１６】図１５における中間デザイン画像生成処理を示すフローチャートである。
【図１７】図１５におけるデザイン移動処理を示すフローチャートである。
【図１８】図１５におけるデザイン縮小処理を示すフローチャートである。
【図１９】爪領域の一例を示す図である。
【図２０】図１９の爪領域の爪領域情報のデータ構成例を示す図である。
【図２１】細長い形状の爪領域上にデザイン画像ｅを配置した図である。
【図２２】図２１におけるデザイン画像ｅのＮｏ．１のデザインパーツの横方向及び縦方向の０％位置及び１００％位置の定め方を説明する説明図である。
【図２３】図２１におけるデザイン画像ｅのＮｏ．３のデザインパーツの横方向及び縦方向の０％位置及び１００％位置の定め方を説明する説明図である。
【図２４】幅広い形状の爪領域上にデザイン画像ｅを配置した図である。
【図２５】図２４におけるデザイン画像ｅのＮｏ．１のデザインパーツの横方向及び縦方向の０％位置及び１００％位置の定め方を説明する説明図である。
【図２６】図２４におけるデザイン画像ｅのＮｏ．３のデザインパーツの横方向及び縦方向の０％位置及び１００％位置の定め方を説明する説明図である。
【図２７】爪領域の一例を示す図である。
【図２８】中間デザイン画像の一例を示す図である。
【図２９】図２７に示す爪領域に図２８に示す中間デザイン画像を重ね合わせた状態を示す図である。
【図３０】図２９における一点鎖線部分の拡大図である。
【図３１】（Ａ）は、図２７に示す爪領域に図２８に示す中間デザイン画像の外周枠を重ね合わせた状態を示す図であり、（Ｂ）は、（Ａ）に示す外周枠を縮小した調整後の外周枠を図２７に示す爪領域に重ね合わせた状態を示す図である。
【図３２】中間デザイン画像の外周枠を距離Ｌだけ移動して図２７に示す爪領域に重ね合わせた状態を示す図である。
【図３３】図３２に示す位置に中間デザイン画像を印刷した場合の爪部のイメージを示す図である。
【図３４】（Ａ）は、中間外周枠を爪領域に重ね合わせた状態を示す図であり、（Ｂ）は、（Ａ）に示す中間外周枠に収まる大きさまで中間デザイン画像を縮小して爪領域に重ね合わせた状態を示す図である。
【図３５】（Ａ）は、中間外周枠に収まる大きさまで中間デザイン画像を縮小して爪領域に重ね合わせた状態を示す図であり、（Ｂ）は、調整後の外周枠に収まる大きさまで中間デザイン画像を縮小して爪領域に重ね合わせた状態を示す図である。
【図３６】図３５（Ｂ）に示す位置に中間デザイン画像を印刷した場合の爪部のイメージを示す図である。
【図３７】（Ａ）〜（Ｆ）は、本実施形態にかかる印刷制御方法を用いて各種の形状の爪領域にデザイン画像を印刷した場合の爪部のイメージを示す図である。
【図３８】（Ａ）は、中間デザイン画像の一部のデザインパーツが爪領域からはみ出している状態を示す図であり、（Ｂ）は、（Ａ）に示す中間デザイン画像を単に移動させるだけで全てのデザインパーツが爪領域内に収まる状態を示す図である。
【発明を実施するための形態】
【００１３】
図１から図３６を参照しつつ、本発明に係るネイルプリント装置の一実施形態について説明する。
図１は、本実施形態におけるネイルプリント装置の外観を示す斜視図であり、図２は、ネイルプリント装置の内部構成を示す斜視図である。
【００１４】
図１に示すように、このネイルプリント装置１は、ケース本体２及び蓋体４を備えている。このケース本体２及び蓋体４は、ケース本体２の上面後端部に設けたヒンジ３を介して、互いに連結されている。
【００１５】
上記ケース本体２は平面視で長円状に形成されている。このケース本体２には前側には開閉板２ｃが起倒可能に設けられている。この開閉板２ｃは、ケース本体２の前面下端部に設けたヒンジ（図示せず）を介して、ケース本体２に連結されている。この開閉板２ｃは、ケース本体２の前面を開閉するためのものである。
また、ケース本体２の天板２ｆには後述する操作部１２が設置されており、天板２ｆのほぼ中央部には表示部１３が設定されている。
なお、ケース本体２及び蓋体４の形状、構成はここに例示したものに限定されない。
【００１６】
また、ケース本体２にはネイルプリント装置１の装置本体１０が収容されている。この装置本体１０は、図２に示す印刷指固定手段を構成している印刷指固定部２０、撮影手段を構成している撮影部３０、印刷手段を構成している印刷部４０及び制御手段を構成している制御装置５０（図８参照）を備えている。これら印刷指固定部２０、撮影部３０、印刷部４０及び制御装置５０は機枠１１に設けられている。
なお、機枠１１は下部機枠１１ａ及び上部機枠１１ｂによって構成されている。そして、下部機枠１１ａは箱状に形成され、ケース本体２の内部下方に設置され、上部機枠１１ｂは下部機枠１１ａの上方で且つケース本体２の内部上方に設置されている。
【００１７】
印刷指固定部２０は、機枠１１の中の下部機枠１１ａに設けられている。この下部機枠１１ａに設けられた印刷指挿入部２０ａ、非印刷指挿入部２０ｂ及び掴み部２０ｃによって印刷指固定部２０が構成されている。
ここで、印刷指挿入部２０ａは、印刷しようとする爪Ｔに対応する指（以下「印刷指」という。）Ｕ１を挿入するめための指挿入部である（図３参照）。印刷指挿入部２０ａの底面（印刷指載置面）は、印刷指Ｕ１を載置する指載置手段として機能する。印刷指Ｕ１の撮影や印刷は、印刷指Ｕ１がこの指載置手段としての印刷指挿入部２０ａの印刷指載置面に載置された状態で行われる。
また、非印刷指挿入部２０ｂは、印刷指以外の指（以下「非印刷指」という。）Ｕ２を挿入するための指挿入部である（図３参照）。
また、掴み部２０ｃは、印刷指挿入部２０ａに挿入された印刷指Ｕ１と、非印刷指挿入部２０ｂに挿入された非印刷指Ｕ２とで挟持することが可能な部分である。本実施形態において、この掴み部２０ｃは印刷指挿入部２０ａと非印刷指挿入部２０ｂとを仕切る隔壁２１によって構成されている。
【００１８】
この隔壁２１の上面は平坦な印刷指載置面を構成している。この隔壁２１の指挿入側端部には膨出部２２が形成されている。この膨出部２２は、印刷指挿入部２０ａ及び非印刷指挿入部２０ｂに印刷指Ｕ１及び非印刷指Ｕ２を深く挿入した際に、印刷指Ｕ１及び非印刷指Ｕ２の付け根Ｕ３が当接する部分に形成されている。膨出部２２は、印刷指Ｕ１の腹全体が印刷指載置面に当接した状態で、印刷指Ｕ１と非印刷指Ｕ２とで隔壁２１（掴み部２０ｃ）を強く挟持することができるように、指挿入方向の断面が、隔壁２１の下面から下方に向けて膨出するように円形となっている。なお、膨出部２２の形状は、断面円形に限定されることなく、断面楕円形，多角形等の非円形であってもよい。
【００１９】
例えば、左手の親指以外の４本の指（人差し指、中指、薬指及び小指）が印刷指Ｕ１となる場合には、図３に示すように、ユーザは印刷指挿入部２０ａに４本の印刷指Ｕ１を挿入し、非印刷指挿入部２０ｂに非印刷指Ｕ２である親指を挿入する。この場合、ユーザが印刷指挿入部２０ａに挿入された印刷指Ｕ１と、非印刷指挿入部２０ｂに挿入された非印刷指Ｕ２とで掴み部２０ｃを挟持することにより、印刷指Ｕ１が掴み部２０ｃの上で固定される。
また、親指のみが印刷指Ｕ１となる場合には、親指（印刷指Ｕ１）を印刷指挿入部２０ａに挿入さし、親指以外の４本の指（非印刷指Ｕ２）を非印刷指挿入部２０ｂに挿入する。この場合にも、ユーザが印刷指Ｕ１と非印刷指Ｕ２とで掴み部２０ｃを挟持することで印刷指Ｕ１が固定される。
【００２０】
また、図４は、本実施形態に係るネイルプリント装置１の正面側の断面図であり、図５は、ネイルプリント装置１の側断面図である。
図４及び図５に示すように、撮影部３０は、機枠１１の中の上部機枠１１ｂに設けられている。
すなわち、上部機枠１１ｂに設置された基板３１の中央部下面には、ドライバーを内蔵した２００万画素程度以上の画素を有するカメラ３２が設置されている。また、基板３１には、カメラ３２を囲むように白色ＬＥＤ等の照明灯３３が設置されている。撮影部３０は、このカメラ３２及び照明灯３３を備えて構成されている。
この撮影部３０は、指載置手段である印刷指挿入部２０ａに載置された印刷指Ｕ１を照明灯３３によって照明し、カメラ３２によってその印刷指Ｕ１を撮影して、指画像を得る撮影手段であり、この撮影部３０は、後述する制御装置５０の本体制御部５２に接続され、該本体制御部５２によって制御されるようになっている。
【００２１】
また、印刷部４０は、爪領域Ｔａの座標値に基づく印刷用データに従って印刷対象領域である爪領域Ｔａ（図７等参照）に色や模様等の印刷を施す印刷手段であり、主に上部機枠１１ｂに設けられている。
すなわち、図４及び図５に示すように、上部機枠１１ｂの両側板には、２本のガイドロッド４１が平行に架設されている。このガイドロッド４１には、主キャリッジ４２が摺動自在に設置されている。また、図５に示すように、主キャリッジ４２の前壁４２ａおよび後壁４２ｂには２本のガイドロッド４４が平行に架設されている。このガイドロッド４４には、副キャリッジ４５が摺動自在に設置されている。この副キャリッジ４５の下面中央部には、印刷ヘッド４６が搭載されている。
本実施形態において、この印刷ヘッド４６は、インクを微滴化し、被印字媒体に対し直接に吹き付けて印刷を行うインクジェット方式の印刷ヘッドである。なお、印刷ヘッド４６の記録方式はインクジェット方式に限定されない。
【００２２】
主キャリッジ４２は動力伝達手段（図示せず）を介してモータ４３に連結され、モータ４３の正逆回転によって、ガイドロッド４１に沿って左右方向に移動ように構成されている。また、副キャリッジ４５は動力伝達手段（図示せず）を介してモータ４７に連結され、モータ４７の正逆回転によって、ガイドロッド４４に沿って前後方向に移動するように構成されている。
また、下部機枠１１ａには、印刷ヘッド４６にインクを供給するためのインクカートリッジ４８が設けられている。インクカートリッジ４８は、図示しないインク供給管を介して印刷ヘッド４６と接続されており、適宜印刷ヘッド４６にインクを供給するようになっている。なお、印刷ヘッド４６自体にインクカートリッジを搭載する構成としてもよい。
【００２３】
印刷部４０は、これらガイドロッド４１、主キャリッジ４２、モータ４３、ガイドロッド４４、副キャリッジ４５、印刷ヘッド４６、モータ４７及びインクカートリッジ４８等を備えて構成されている。この印刷部４０のモータ４３、印刷ヘッド４６、モータ４７は、後述する制御装置５０の本体制御部５２に接続され、該本体制御部５２によって制御されるようになっている。
【００２４】
操作部１２は、ユーザが各種入力を行うための入力手段である。
操作部１２には、例えば、ネイルプリント装置１の電源をＯＮする電源スイッチ釦、動作を停止させる停止スイッチ釦、その他各種の入力を行うための操作釦１２１が配置されている。
本実施形態では、操作釦１２１の内の一つは、後述する記憶部５１のデザインデータ保持部５１１に記憶されている複数のデザイン画像の中から一つのデザイン画像を選択するデザイン選択手段として機能する。すなわち、表示部１３には、図６に示すようにデザイン選択画面１３１が表示されるようになっており、ユーザは、所望のデザイン画像に対応するアルファベットを操作釦１２１によって選択することにより、印刷されるデザイン画像が選択される。
【００２５】
表示部１３は、例えば液晶パネル（液晶ディスプレイ（ＬＣＤ：Liquid Crystal Display））等で構成された表示手段である。
なお、表示部１３の表面に、タッチパネルが一体的に構成されていてもよい。この場合には、図示しないスタイラスペンや指先等によるタッチ操作により、表示部１３の表面をタッチすることによっても各種の入力を行うことができるように構成される。
【００２６】
表示部１３には、例えば、印刷指Ｕ１を撮影した指画像やその中の爪領域Ｔａ、印刷指Ｕ１の爪領域Ｔａに印刷すべきネイル画像パターン、デザイン確認用のサムネイル画像等が表示されるようになっている。
また、表示部１３には、前述のように、図６に示すデザイン選択画面１３１が表示されるようになっている。本実施形態では、デザイン画像としてデザイン画像ａからデザイン画像ｅの５種類が選択可能となっており、デザイン選択画面１３１には、例えば、ａからｅのデザイン画像が並べて表示される。
なお、表示部１３の表面に、タッチパネルが一体的に構成されている場合には、ユーザが所望のデザイン画像をタッチするだけで、そのデザイン画像が印刷されるデザイン画像として選択されるようにしてもよい。この場合には、表示部１３がデザイン選択手段として機能する。
【００２７】
また、表示部１３には、図７に示すようなデザイン確認用画面１３２が表示される。デザイン確認用画面１３２は、ユーザの指画像の爪領域Ｔａにユーザが選択したデザイン画像を重畳したものである。このデザイン確認用画面１３２において表示されるデザイン画像は、後述する制御装置５０において、ユーザの爪領域Ｔａに合うように、その全体のサイズや各デザインパーツｄｐの印刷サイズ及び印刷位置が調整されたものであり、ユーザはこのデザイン確認用画面１３２により、最終的な印刷イメージを確認することができる。ユーザはこのデザイン確認用画面１３２によって爪領域Ｔａに施される印刷の最終的なデザインを確認して、そのまま印刷を開始してよければ、印刷の開始（実行）を指示する操作釦１２１を操作する。また、デザイン画像を変更した場合には、変更を指示する操作釦１２１を操作することにより、デザイン選択画面１３１（図６参照）に戻ることができる。
なお、表示部１３の表面に、タッチパネルが一体的に構成されている場合には、ユーザがデザイン確認用画面１３２をタッチしたり、当該画面上にＯＫ釦等の操作釦１２１を表示させて、これをタッチするだけで、そのデザイン画像を印刷する処理が開始されるようにしてもよい。
【００２８】
また、制御装置５０は、例えば上部機枠１１ｂに配置された基板３１等に設置されている。図８は、本実施形態における制御構成を示す要部ブロック図である。
【００２９】
制御装置５０は、図示しないＣＰＵ（Central Processing Unit）の他、ＲＯＭ（Read Only Memory）、ＲＡＭ（Random Access Memory)等（全て図示せず）で構成される記憶部５１を備えるコンピュータである。
【００３０】
記憶部５１には、爪領域を抽出するための爪領域抽出プログラム、デザインパーツの印刷サイズや印刷位置を算出するためのパーツレイアウト算出プログラム、印刷用のデータを生成するための印刷用データ生成プログラム、印刷処理を行うための印刷プログラム等の各種プログラムが格納されており、制御装置５０はこれらのプログラムを実行してネイルプリント装置１の各部を制御するようになっている。
【００３１】
また、本実施形態において記憶部５１には、デザイン画像に関するデータを記憶するデザインデータ保持部５１１が設けられている。
デザインデータ保持部５１１は、複数のデザインパーツｄｐから構成され、個々のデザインパーツｄｐ毎にサイズデータ、位置データ、イメージデータが対応付けられているデザイン画像を複数組記憶している記憶手段である。
【００３２】
図９は図６におけるデザイン画像ｅの構成例を示した説明図であり、図１０は、図９に示すデザイン画像ｅに関するデータの構成例を示す表である。
デザイン画像ｅはＮｏ．１からＮｏ．４の４つのデザインパーツｄｐから構成されており、図１０に示すように、各デザインパーツｄｐ毎にそのサイズデータ、位置データ、イメージデータが対応付けられてデザインデータ保持部５１１に記憶されている。
【００３３】
各デザインパーツｄｐのサイズデータは、当該デザイン画像を理想形状の爪領域（基準爪モデル）上に配置した場合における各デザインパーツｄｐの面積と基準爪モデルの面積との相対的な面積比率であり、基準爪モデルの面積を１００％としたときの各デザインパーツｄｐの面積比率により各デザインパーツのサイズを特定するものである。例えば、基準爪モデルの面積を１００％としたときにＮｏ．１のデザインパーツｄｐのサイズは２０％であり、Ｎｏ．２のデザインパーツｄｐのサイズは２８％である。
【００３４】
各デザインパーツｄｐの位置データは、基準爪モデルの横方向（ｘ軸方向）の長さ及び縦方向（ｙ軸方向）の長さを基準としたときの相対的な位置関係により各デザインパーツｄｐの位置を特定するものである。
図１１及び図１２に示すように、本実施形態において、各デザインパーツｄｐの横方向（ｘ軸方向）の位置は、基準爪モデルの上下左右を枠で囲い、デザインパーツｄｐをその左端が基準爪モデルの枠の左端に重なるように基準爪モデル上に配置したときに、デザインパーツｄｐの中心が配置される位置を０％とし、デザインパーツｄｐをその右端が基準爪モデルの枠の右端に重なるように基準爪モデル上に配置したときに、デザインパーツｄｐの中心が配置される位置を１００％としたときの相対的な位置である。
また、各デザインパーツｄｐの縦方向（ｙ軸方向）の位置は、同様に、デザインパーツｄｐをその上端が基準爪モデルの枠の上端に重なるように基準爪モデル上に配置したときに、デザインパーツｄｐの中心が配置される位置を０％とし、デザインパーツｄｐをその下端が基準爪モデルの枠の下端に重なるように基準爪モデル上に配置したときに、デザインパーツｄｐの中心が配置される位置を１００％としたときの相対的な位置である。
【００３５】
なお、横方向（ｘ軸方向）の位置及び縦方向（ｙ軸方向）の位置における０％となる位置及び１００％となる位置は、各デザインパーツｄｐのサイズによって変更される。
すなわち、図１１及び図１２に示すように、デザインパーツｄｐのサイズによって、デザインパーツｄｐの中心から端部までの距離が異なり、サイズの小さなデザインパーツｄｐ（例えば図９及び図１０におけるＮｏ．１とＮｏ．４のデザインパーツｄｐ）の場合には、デザインパーツｄｐの中心から端部までの距離が短くなり、０％となる位置及び１００％となる位置は、基準爪モデルの枠の端部に近い位置となる（図１１参照）。他方、サイズの大きなデザインパーツｄｐ（例えば図９及び図１０におけるＮｏ．２とＮｏ．３のデザインパーツｄｐ）の場合には、サイズの小さなデザインパーツｄｐよりもデザインパーツｄｐの中心から端部までの距離が長くなり、０％となる位置及び１００％となる位置は、基準爪モデルの枠の端部から離れた位置となる（図１２参照）。
【００３６】
なお、図９では、Ｎｏ．１のデザインパーツｄｐについての横方向（ｘ軸方向）及び縦方向（ｙ軸方向）の０％から１００％の範囲における相対的な位置を一点鎖線で示し、Ｎｏ．３のデザインパーツｄｐについての横方向（ｘ軸方向）及び縦方向（ｙ軸方向）の０％から１００％の範囲における相対的な位置を二点鎖線で示している。
図９及び図１０に示すように、本実施形態におけるデザイン画像ｅを構成するデザインパーツｄｐのうち、Ｎｏ．１のデザインパーツｄｐは、基準爪モデル上において、横方向（ｘ軸方向）が５０％であり、縦方向（ｙ軸方向）が１５％の位置に配置される。また、Ｎｏ．３のデザインパーツｄｐは、基準爪モデル上において、横方向（ｘ軸方向）が８０％であり、縦方向（ｙ軸方向）が７０％の位置に配置される。
【００３７】
また、イメージデータは、各デザインパーツｄｐの絵柄自体のデータであり、例えば花柄や桜柄（例えばデザイン画像ｂの場合）、雪の結晶柄（例えばデザイン画像ａの場合）等の画像データが、ビットマップデータ（ｂｍｐ）として記憶されているものである。なお、イメージデータのデータ形式はビットマップデータ（ｂｍｐ）に限定されず、その他のデータ形式で記憶されていてもよい。
【００３８】
例えば、図１３は図６におけるデザイン画像ｂの構成例を示した説明図であり、図１４は、図１３に示すデザイン画像ｂに関するデータの構成例を示す表である。
デザイン画像ｂはＮｏ．１からＮｏ．３の３つのデザインパーツｄｐから構成されており、図１４に示すように、各デザインパーツ毎にそのサイズデータ、位置データ、イメージデータが対応付けられてデザインデータ保持部５１１に記憶されている。
【００３９】
なお、図１３では、Ｎｏ．１のデザインパーツｄｐについての横方向（ｘ軸方向）及び縦方向（ｙ軸方向）の０％から１００％の範囲における相対的な位置を一点鎖線で示し、Ｎｏ．３のデザインパーツｄｐについての横方向（ｘ軸方向）及び縦方向（ｙ軸方向）の０％から１００％の範囲における相対的な位置を二点鎖線で示している。
なお、各デザインパーツｄｐにおける横方向（ｘ軸方向）の位置及び縦方向（ｙ軸方向）の位置における０％となる位置及び１００％となる位置の定め方については、デザイン画像ｅの場合（図１１及び図１２参照）と同様であるため、その説明を省略する。
【００４０】
図１３及び図１４に示すように、本実施形態におけるデザイン画像ｂを構成するデザインパーツｄｐのうち、Ｎｏ．１のデザインパーツｄｐは、イメージデータが桜柄であり、サイズは３０％である。また、基準爪モデル上において、横方向（ｘ軸方向）が８％であり、縦方向（ｙ軸方向）が７０％の位置に配置される。
また、Ｎｏ．３のデザインパーツｄｐは、イメージデータが花ｂ柄であり、サイズは３４％である。また、基準爪モデル上において、横方向（ｘ軸方向）が７５％、縦方向（ｙ軸方向）が１２％の位置に配置される。
【００４１】
さらに、本実施形態において記憶部５１には、撮影部３０によって取得されたユーザの印刷指Ｕ１の指画像から抽出された爪領域Ｔａ（図１９参照）の爪領域情報である爪領域Ｔａの面積と横方向及び縦方向の長さ寸法を記憶する爪領域データ保持部５１２が設けられている。なお、図１９では、図示の便宜上、印刷指Ｕ１の全体を二点鎖線で表している。
【００４２】
また、本実施形態において記憶部５１には、後述する中間デザイン画像生成部によって生成された中間デザイン画像が記憶される中間デザイン画像保持部５１３が設けられている。
【００４３】
図２０は、爪領域データ保持部５１２において保持される爪領域情報の一例を示す図である。本実施形態において、爪領域Ｔａの面積（Ｓ）は、図２０に示すように、爪領域Ｔａの面積を、爪領域Ｔａを構成するドット数で表したものである。本実施形態では、爪領域Ｔａが２１５９３ドット（ｄｏｔ）で構成されている場合を例示している。
また、図１９及び図２０に示すように、横方向の長さ寸法（横幅：Ｗ）は、爪領域Ｔａの横方向（ｘ軸方向）の長さ寸法をドット数で表したものであり、本実施形態では、爪領域Ｔａの横方向のドット数が１１５ドット（ｄｏｔ）である場合を例示している。
また、図１９及び図２０に示すように、縦方向の長さ寸法（縦幅：Ｈ）は、爪領域Ｔａの縦方向（ｙ軸方向）の長さ寸法をドット数で表したものであり、本実施形態では、爪領域Ｔａの縦方向のドット数が２１１ドット（ｄｏｔ）である場合を例示している。
【００４４】
本実施形態において制御装置５０は、本体制御部５２、爪領域情報検出部５３、中間デザイン画像生成部５４、パーツ位置判断部５５、デザイン画像移動部５６、デザイン画像縮小部５７等の機能部を含んでいる。
【００４５】
本体制御部５２は、ネイルプリント装置１の全体を統括制御する機能部である。
本実施形態では、本体制御部５２は、撮影部３０を制御してユーザの印刷指Ｕ１を撮影させ、指画像を取得させる。また、本体制御部５２は、後述する印刷用のデータを印刷部４０に出力して、この印刷用データにしたがって爪領域Ｔａに印刷を施すように印刷部４０を制御する印刷制御手段として機能する。
【００４６】
爪領域情報検出部５３は、撮影部４０よって取得された指画像から爪領域Ｔａを抽出し、この爪領域Ｔａの面積（Ｓ）、横方向（ｘ軸方向）の長さ寸法（Ｗ）、縦方向（ｙ軸方向）の長さ寸法（Ｈ）を検出する爪領域情報検出手段である。
爪領域情報検出部５３による検出結果は、記憶部５１の爪領域データ保持部５１２に送られ、記憶される。
【００４７】
中間デザイン画像生成部５４は、デザイン選択手段である操作部１２等によって選択されたデザイン画像の画像データをデザインデータ保持部５１１から読み出して、この読み出されたデザイン画像の画像データと爪領域情報検出部５３により抽出された爪領域Ｔａの大きさとに基づいてデザインパーツｄｐの配置を示す座標値を含む中間デザイン画像の画像データを生成する中間デザイン画像生成手段である。ここで「爪領域Ｔａの大きさ」とは、ユーザの印刷指Ｕ１の爪領域Ｔａの面積及び横方向及び縦方向の長さ寸法をいう。
中間デザイン画像生成部５４は、パーツレイアウト算出手段であるパーツレイアウト算出部５４１を含み、このパーツレイアウト算出部５４１により算出された各デザインパーツｄｐの印刷サイズ及び印刷位置と、デザインデータ保持部５１１から読み出されたデザイン画像に含まれている各デザインパーツｄｐのイメージデータとに基づいて中間デザイン画像を生成する。
【００４８】
パーツレイアウト算出部５４１は、操作部１２の操作釦１２１等のデザイン選択手段により選択された一つのデザイン画像を記憶部５１のデザインデータ保持部５１１から読み出して、この読み出されたデザイン画像に含まれている各デザインパーツｄｐのサイズデータ及び位置データと、爪領域情報検出部５３により検出された爪領域Ｔａの面積並びに横方向及び縦方向の長さ寸法とに応じて、各デザインパーツｄｐの印刷サイズ及び印刷位置を算出するパーツレイアウト算出手段である。
パーツレイアウト算出部５４１は、基準爪モデルの面積及び横方向及び縦方向の長さ寸法を爪領域情報検出部５３により検出されたユーザの印刷指Ｕ１の爪領域Ｔａの面積及び横方向及び縦方向の長さ寸法に置き換えて、各デザインパーツｄｐの印刷サイズ及び印刷位置を算出する。
【００４９】
すなわち、例えば、デザイン画像ｅのＮｏ．１のデザインパーツｄｐの基準爪モデル上におけるサイズは２０％であるので、パーツレイアウト算出部５４１は、印刷指Ｕ１の爪領域Ｔａの面積（Ｓ）に対して２０％となる大きさ（ｄｏｔ数）を算出し、これが当該デザインパーツｄｐの印刷サイズとなる。
【００５０】
また、Ｎｏ．１のデザインパーツｄｐは、基準爪モデル上において、横方向（ｘ軸方向）が５０％であり、縦方向（ｙ軸方向）が１５％の位置に配置されるものであるため、パーツレイアウト算出部５４１は、印刷指Ｕ１の爪領域Ｔａにおける横方向（ｘ軸方向）が５０％、縦方向（ｙ軸方向）が１５％となる位置を算出する。
ここで、０％となる位置及び１００％となる位置は、当該デザインパーツｄｐのサイズに応じて変化するため、まず、印刷指Ｕ１の爪領域Ｔａの上下左右を枠で囲い、上記のようにして算出された印刷サイズのデザインパーツｄｐを、その左端が爪領域Ｔａの枠の左端に重なるように爪領域Ｔａ上に配置し、このときに、デザインパーツｄｐの中心が配置される位置を０％とする。また、デザインパーツｄｐをその右端が爪領域Ｔａの枠の右端に重なるように爪領域Ｔａ上に配置したときに、デザインパーツｄｐの中心が配置される位置を１００％とする。同様に、縦方向（ｙ軸方向）についても、０％の位置及び１００％の位置を定める。
そして、Ｎｏ．１のデザインパーツｄｐの場合には、横方向（ｘ軸方向）は、爪領域Ｔａ上における０％から１００％の範囲における５０％の位置にデザインパーツｄｐの中心が位置するように配置される。また、縦方向（ｙ軸方向）は、爪領域Ｔａ上における０％から１００％の範囲における１５％の位置にデザインパーツｄｐの中心が位置するように配置される。
【００５１】
図２１から図２３は、ユーザの印刷指Ｕ１の爪領域Ｔａが基準爪モデルよりも細長い形状をしている場合における各デザインパーツｄｐの印刷サイズ及び印刷位置の定め方を示す説明図である。
この場合、パーツレイアウト算出部５４１は、まず、爪領域Ｔａの面積にしたがって、各デザインパーツｄｐの印刷サイズが算出される。次に、算出された印刷サイズのデザインパーツｄｐを爪領域Ｔａ上に配置して、各デザインパーツｄｐ毎の、上下左右の０％の位置及び１００％の位置を算出する（デザイン画像ｅのＮｏ．１及びＮｏ．４のデザインパーツｄｐについて図２１参照。Ｎｏ．２及びＮｏ．３のデザインパーツｄｐについて図２２参照。）。そして、算出された印刷サイズのデザインパーツｄｐを爪領域Ｔａ上の算出された印刷位置にそれぞれ配置する（図２３参照）。
これにより、ユーザの爪領域Ｔａが基準爪モデルよりも細長い形状である場合でも、基準爪モデル上に配置されていたときとほぼ同じレイアウトとなるように各デザインパーツｄｐを配置することができる。
【００５２】
図２４から図２６は、ユーザの印刷指Ｕ１の爪領域Ｔａが基準爪モデルよりも縦の長さが短く幅広の形状をしている場合における各デザインパーツｄｐの印刷サイズ及び印刷位置の定め方を示す説明図である。
この場合、パーツレイアウト算出部５４１は、まず、爪領域Ｔａの面積にしたがって、各デザインパーツｄｐの印刷サイズが算出される。次に、算出された印刷サイズのデザインパーツｄｐを爪領域Ｔａ上に配置して、各デザインパーツｄｐ毎の、上下左右の０％の位置及び１００％の位置を算出する（デザイン画像ｅのＮｏ．１及びＮｏ．４のデザインパーツｄｐについて図２４参照。Ｎｏ．２及びＮｏ．３のデザインパーツｄｐについて図２５参照。）。そして、算出された印刷サイズのデザインパーツｄｐを爪領域Ｔａ上の算出された印刷位置にそれぞれ配置する（図２６参照）。
これにより、ユーザの爪領域Ｔａが基準爪モデルよりも縦の長さが短く幅広の形状である場合でも、基準爪モデル上に配置されていたときとほぼ同じレイアウトとなるように各デザインパーツｄｐを配置することができる。
【００５３】
中間デザイン画像生成部５４は、パーツレイアウト算出部５４１により算出された各デザインパーツｄｐの印刷サイズ及び印刷位置と、これら各デザインパーツｄｐのイメージデータとに基づいてユーザの爪領域Ｔａの面積及び横方向及び縦方向の長さ寸法に合った印刷サイズ及び印刷位置で各デザインパーツｄｐを配置した中間デザイン画像Ｇ（図２８参照）を生成する。中間デザイン画像Ｇの画像データは、例えば各デザインパーツｄｐの座標値等の情報を含む１つのビットマップ形式のデータであり、印刷を施すための印刷用データとして用いることも可能な画像データである。例えば、印刷対象となるユーザの爪領域Ｔａが図２７に示すような形状である場合、中間デザイン画像Ｇの画像データは、例えば図２８に示すようなデザイン画像を表すビットマップデータとなる。なお、中間デザイン画像Ｇの画像データのデータ形式は、ビットマップデータ形式に限定されない。
中間デザイン画像生成部５４において生成された中間デザイン画像Ｇは、記憶部５１の中間デザイン画像保持部５１３に記憶される。
【００５４】
パーツ位置判断部５５は、中間デザイン画像生成部５４によって生成された中間デザイン画像Ｇの画像データに含まれるデザインパーツｄｐの座標値と爪領域情報検出部５３によって検出された爪領域Ｔａの輪郭線の座標値とを比較して、デザインパーツｄｐの全てが爪領域Ｔａ内に収まっているか否かを判断するパーツ位置判断手段である。
具体的には、パーツ位置判断部５５は、図２９に示すように、爪領域Ｔａの輪郭線（図２９において破線で示す）と中間デザイン画像Ｇとを重ね合わせ、所定位置から順に走査（スキャン）していく。そして、中間デザイン画像Ｇの画像データに含まれる全てのデザインパーツｄｐの座標値が爪領域Ｔａの輪郭線の座標値の内側（すなわち爪領域Ｔａ内となる範囲内）に収まっているか否かを判断する。なお、本実施形態では、図２９に示すように、画像の一番上のラインから１ラインずつ、左から右に向かって順次走査していく場合を例としているが、走査する順序は特に限定されない。
【００５５】
また、パーツ位置判断部５５は、後述するデザイン画像移動部５６による中間デザイン画像Ｇの移動後にも、移動後の中間デザイン画像Ｇの画像データに含まれるデザインパーツｄｐの座標値と爪領域情報検出部５３によって検出された爪領域Ｔａの輪郭線の座標値とをさらに比較して、デザイン画像移動部５６による移動の結果、デザインパーツｄｐの全てが爪領域Ｔａ内に収まっているか否かを判断する。
さらに、パーツ位置判断部５５は、後述するデザイン画像縮小部５７による中間デザイン画像Ｇの縮小後にも、縮小後の中間デザイン画像Ｇの画像データに含まれるデザインパーツｄｐの座標値と爪領域情報検出部５３によって検出された爪領域Ｔａの輪郭線の座標値とをさらに比較して、デザイン画像縮小部５７による縮小の結果、デザインパーツｄｐの全てが爪領域Ｔａ内に収まっているか否かを判断する。
【００５６】
図３０は、図２９において一点鎖線で囲んだ部分を拡大した図である。
図３０に示すように、本実施形態では、デザインパーツｄｐ２の一部の座標値が爪領域Ｔａの輪郭線の座標値の外側にはみ出している（図３０において、爪領域Ｔａの輪郭線からはみ出している部分を網掛けで示す。）。
なお、パーツ位置判断部５５がデザインパーツｄｐの全てが爪領域Ｔａ内に収まっていると判断した場合（例えば図２３及び図２６に示すような場合）には、中間デザイン画像Ｇの画像データがそのまま爪領域Ｔａに印刷を施すための印刷用データとして用いられる。
【００５７】
デザイン画像移動部５６は、パーツ位置判断部５５によってデザインパーツｄｐの一部が爪領域Ｔａ内に収まっていないと判断されたときに、デザインパーツｄｐの全てが爪領域Ｔａ内に収まるように中間デザイン画像Ｇを移動させるデザイン画像移動手段である。なお、中間デザイン画像Ｇの移動は、例えば１ビットずつ行われる。
デザイン画像移動部５６は、パーツ位置判断部５５によってデザインパーツｄｐの一部が爪領域Ｔａ内に収まっていないと判断されたときに、中間デザイン画像Ｇの外周枠Ｆ１（図３１等参照）を設定し、この外周枠Ｆ１の座標値を得る外周枠設定手段としての外周枠設定部５６１と、この外周枠設定部５６１によって得られた外周枠Ｆ１の座標値と爪領域情報検出部５３によって検出された爪領域Ｔａの輪郭線の座標値とを比較して、外周枠Ｆ１が爪領域Ｔａ内に収まっているか否かを判断する外周枠位置判断手段としての外周枠位置判断部５６２と、この外周枠位置判断部５６２によって外周枠Ｆ１が爪領域Ｔａ内に収まっていないと判断されたときに、外周枠Ｆ１が爪領域Ｔａ内に収まるように外周枠Ｆ１の位置及び／又は大きさを調整する外周枠調整手段としての外周枠調整部５６３とを含んでいる。
【００５８】
図３１（Ａ）、図３１（Ｂ）、図３２及び図３３を参照しつつ、デザイン画像移動部５６による中間デザイン画像Ｇの移動について具体的に説明する。
図３１（Ａ）及び図３１（Ｂ）は、外周枠Ｆ１の設定及び設定された外周枠Ｆ１の移動・縮小を説明する説明図であり、図３２は、中間デザイン画像Ｇの移動を示す図であり、図３３は、移動後の中間デザイン画像Ｇをユーザの爪領域Ｔａに重ね合わせた状態を示すイメージ図である。
【００５９】
パーツ位置判断部５５によってデザインパーツｄｐ（本実施形態ではデザインパーツｄｐ２）の一部が爪領域Ｔａ内に収まっていないと判断されたときには、外周枠設定部５６１により中間デザイン画像Ｇの外周枠Ｆ１が設定される。外周枠Ｆ１は中間デザイン画像Ｇの外周を画する枠であり、外周枠設定部５６１は、例えば中間デザイン画像Ｇに含まれるデザインパーツの座標値のうち、中間デザイン画像Ｇにおける上下左右の各最端部に位置する座標値をもって外周枠Ｆ１を構成する各辺の座標値とし、４つの辺で構成される四角形状の外周枠Ｆ１を設定する。
本実施形態では、デザインパーツｄｐ１の花びらの最上端部の座標が中間デザイン画像Ｇにおける上側の最端部に位置する座標であり、デザインパーツｄｐ４の花びらの最下端部の座標が中間デザイン画像Ｇにおける下側の最端部に位置する座標である。このため、外周枠設定部５６１は、これら各座標のｙ軸方向の座標値を外周枠Ｆ１の上下の辺のｙ軸方向の座標値とする。また、デザインパーツｄｐ２の花びらの最左端部の座標が中間デザイン画像Ｇにおける左側の最端部に位置する座標であり、デザインパーツｄｐ３の花びらの最右端部の座標が中間デザイン画像Ｇにおける右側の最端部に位置する座標である。このため、外周枠設定部５６１は、これら各座標のｘ軸方向の座標値を外周枠Ｆ１の左右の辺のｘ軸方向の座標値とし、これら４つの辺で構成される四角形状の外周枠Ｆ１を設定する。
【００６０】
外周枠位置判断部５６２は、図３１（Ａ）に示すように、外周枠設定部５６１によって得られた外周枠Ｆ１（図３１（Ａ）において実線で示す。）を爪領域情報検出部５３によって検出された爪領域Ｔａの輪郭線（図３１（Ａ）において破線で示す。）と重ね合わせ、所定位置から順に走査（スキャン）していく（例えば画像の一番上のラインから１ラインずつ、左から右に向かって順次走査）。そして、外周枠Ｆ１の座標値が爪領域Ｔａの輪郭線の座標値の内側（すなわち爪領域Ｔａ内となる範囲内）に収まっているか否かを判断する。なお、外周枠位置判断部５６２による走査の順序はここに例示したものに限定されない。
外周枠調整部５６３は、外周枠位置判断部５６２によって外周枠Ｆ１が爪領域Ｔａ内に収まっていないと判断されると、まず外周枠Ｆ１が爪領域Ｔａ内に収まるように外周枠Ｆ１を縮小しながらｙ軸方向に沿って上下に移動させ、その位置と大きさを調整する。このとき、外周枠調整部５６３は、外周枠Ｆ１の縦横比を維持したまま外周枠Ｆ１（図３１（Ｂ）において二点鎖線で示す。）を縮小する。
【００６１】
外周枠調整部５６３による調整が行われると、外周枠位置判断部５６２は、調整後の外周枠Ｆ２（図３１（Ｂ）において実線で示す。）を爪領域Ｔａに重ね合わせた状態で再度走査し、調整後の外周枠Ｆ２が爪領域Ｔａ内に収まっているか否かを判断する。外周枠調整部５６３による外周枠Ｆ１の調整と外周枠位置判断部５６２による判断は、外周枠位置判断部５６２により調整後の外周枠Ｆ２が爪領域Ｔａ内に収まったと判断されるまで繰り返される。
図３１（Ｂ）は、外周枠位置判断部５６２により調整後の外周枠Ｆ２が爪領域Ｔａ内に収まったと判断される状態を示したものである。図３１（Ｂ）において、爪領域Ｔａの輪郭線を破線で示すとともに、調整前の外周枠Ｆ１（すなわち、調整前の中間デザイン画像Ｇの外周位置）を二点鎖線で示し、調整後の外周枠Ｆ２を実線で示している。
【００６２】
デザイン画像移動部５６は、外周枠調整部５６３による調整の結果、外周枠位置判断部５６２によって調整後の外周枠Ｆ２が爪領域Ｔａ内に収まっていると判断されたときに、中間デザイン画像Ｇをその中心点（すなわち、中間デザイン画像Ｇの当初の位置を示す外周枠Ｆ１の中心点、図３１（Ａ）及び図３１（Ｂ）において中心点Ｐ１）が外周枠調整部５６３による調整後の外周枠Ｆ２の中心点（図３１（Ｂ）において中心点Ｐ２）と一致する位置まで移動させるようになっている。
このとき、図３２に示すように、中間デザイン画像Ｇは、縮小されることなく、中心点Ｐ１と中心点Ｐ２との間の距離Ｌ分だけ上下方向（ｙ軸方向）に移動する。なお、中間デザイン画像Ｇをｙ軸方向に沿って上下どちらに移動させるかは、パーツ位置判断部５５による走査の結果爪領域Ｔａからはみ出していると最初に判断されたデザインパーツｄｐが中心点Ｐ１よりも上に位置するか下に位置するかによって決定される。本実施形態では、パーツ位置判断部５５による走査の結果爪領域Ｔａからはみ出していると最初に判断されたデザインパーツｄｐ２は中心点Ｐ１よりも上に位置するため、中間デザイン画像Ｇをｙ軸方向に沿って下に移動させる。
【００６３】
デザイン画像移動部５６により中間デザイン画像Ｇが移動されると、前述のように、再度パーツ位置判断部５５により、移動後の中間デザイン画像Ｇに含まれるデザインパーツｄｐの全てが爪領域Ｔａ内に収まっているか否かの判断が行われる。
デザイン画像移動部５６による移動の結果、中間デザイン画像Ｇに含まれる全てのデザインパーツｄｐが爪領域Ｔａ内に収まった場合（例えば図２３に示すような場合）には、移動後の中間デザイン画像Ｇの画像データが爪領域Ｔａに印刷を施すための印刷用データとして用いられる。
【００６４】
デザイン画像縮小部５７は、パーツ位置判断部５５によって中間デザイン画像Ｇの移動後のデザインパーツｄｐの一部が爪領域Ｔａ内に収まっていないと判断されたときに、中間デザイン画像Ｇを縮小するデザイン画像縮小手段である。中間デザイン画像Ｇの縮小は、例えば１ビットずつ行われる。
デザイン画像縮小部５７は、外周枠調整部５６３による調整後の外周枠Ｆ２の調整前の外周枠Ｆ１に対する縮小率に応じて中間デザイン画像Ｇを縮小するものである。なお、外周枠Ｆ１を縮小する際、デザイン画像移動部５６によって移動された後の外周枠Ｆ１の中心点をずらさずに、そのサイズだけを縮小するようになっている。
【００６５】
本実施形態では、デザイン画像縮小部５７は、外周枠調整部５６３による調整後の外周枠Ｆ２（図３４（Ａ）において二点鎖線で示す枠）の座標値と調整前の外周枠Ｆ１の座標値（図３４（Ａ）及び図３４（Ｂ）において破線で示す枠）との各対応座標の平均値を算出して、この平均値を座標値とする中間外周枠Ｆ３（図３４（Ａ）及び図３４（Ｂ）において実線で示す枠）を設定する中間外周枠設定手段としての中間外周枠設定部５７１を含んでいる。
そして、デザイン画像縮小部５７は、まず、この中間外周枠設定部５７１により設定された中間外周枠Ｆ３内に収まる大きさまで中間デザイン画像Ｇを縮小する。
デザイン画像縮小部５７による縮小の結果、中間デザイン画像Ｇに含まれる全てのデザインパーツｄｐが爪領域Ｔａ内に収まった場合（例えば図３４（Ｂ）に示すような場合）には、縮小後の中間デザイン画像Ｇの画像データが爪領域Ｔａに印刷を施すための印刷用データとして用いられる。
【００６６】
また、中間外周枠Ｆ３内に収まる大きさまで中間デザイン画像Ｇを縮小しても、中間デザイン画像Ｇに含まれる全てのデザインパーツｄｐが爪領域Ｔａ内に収まらない場合には、デザイン画像縮小部５７は、さらに中間デザイン画像Ｇを調整後の外周枠Ｆ２（図３４（Ａ）において二点鎖線で示す枠）と同じ大きさまで縮小する。
例えば、図３５（Ａ）及び図３５（Ｂ）に示すように、爪領域Ｔａが一部分大きく窪んでいるような形状である場合、中間外周枠Ｆ３内（図３５（Ａ）及び図３５（Ｂ）において実線で示す枠内）に収まる大きさまで中間デザイン画像Ｇを縮小してもデザインパーツｄｐの一部（図３５（Ａ）では、デザインパーツｄｐ２の左側の一部分）が爪領域Ｔａからはみ出してしまう場合がある。この場合には、さらに、図３５（Ｂ）に示すように、外周枠調整部５６３による調整後の外周枠Ｆ２（図３５（Ｂ）において二点鎖線で示す枠）と同じ大きさまで中間デザイン画像Ｇを縮小しつつ上下方向（ｙ軸方向）に移動させる。この場合には、この調整後の外周枠Ｆ２と同じ大きさまで縮小された中間デザイン画像Ｇが印刷用データとなる。これにより、図３６に示すように、特殊な形状の爪領域Ｔａである場合でも、全てのデザインパーツｄｐを確実に爪領域Ｔａ内に収めることができ、デザイン全体を欠けることなく爪領域Ｔａに印刷することができる。
【００６７】
本体制御部５２は、この印刷用データをユーザの指画像の爪領域Ｔａに重畳した画像をデザイン確認用画面１３２として表示部１３に表示させる表示制御手段として機能する。また、本体制御部５２は、印刷用データを印刷部４０に出力することにより、印刷用データに従って爪領域Ｔａに印刷を施すように印刷部４０を制御する印刷制御手段として機能する。
【００６８】
次に、図１５から図３６を参照しつつ、本実施形態におけるネイルプリント装置１による印刷制御方法について説明する。
このネイルプリント装置１により印刷を行う場合、ユーザはまず、電源スイッチを入れて制御装置５０を起動させる。
図１５に示すように、本体制御部５２は、表示部１３にデザイン選択画面１３１（図６参照）を表示させ（ステップＳ１）、ユーザは操作部１２の操作釦１２１等を操作して、デザイン選択画面１３１に表示された複数のデザイン画像の中から所望のデザイン画像を選択することにより、操作部１２から選択指示信号が出力されて一つのデザイン画像が選択される（ステップＳ２）。
【００６９】
次に、ユーザは、印刷指Ｕ１を印刷指挿入部２０ａに挿入し、非印刷指Ｕ２を非印刷指挿入部２０ｂに挿入して、印刷指Ｕ１を固定した上で、印刷スイッチを操作する。
例えば、左手の人差し指、中指、薬指及び小指の爪領域Ｔａに印刷を施したい場合には、図３に示すように、印刷指挿入部２０ａに人差し指、中指、薬指及び小指を平面的に並べて挿入し、非印刷指挿入部２０ｂに親指を挿入する。そして、印刷指挿入部２０ａに挿入した人差し指、中指、薬指及び小指と非印刷指挿入部２０ｂに挿入した親指とで掴み部２０ｃを挟持する。これによって、印刷指Ｕ１である人差し指、中指、薬指及び小指が固定される。
【００７０】
制御装置５０は、表示部１３の印刷スイッチから指示が入力されると、印刷動作を開始する前に、まず撮影部３０を制御して、印刷指Ｕ１全体を撮影させる。これにより、印刷指Ｕ１の指画像が取得される（ステップＳ３）。爪領域情報検出部５３は、この指画像から印刷対象領域となる爪領域Ｔａを抽出し（ステップＳ４、図１９参照）、この爪領域Ｔａの面積（Ｓ）、横方向（ｘ軸方向）の長さ寸法（Ｗ）、縦方向（ｙ軸方向）の長さ寸法（Ｈ）を検出する（ステップＳ５）。爪領域情報検出部５３による検出結果は、記憶部５１の爪領域データ保持部５１２に送られ、記憶される（図２０参照）。
【００７１】
次に、中間デザイン画像生成部５４により中間デザイン画像Ｇの生成処理が行われる（ステップＳ６）。図１６は、中間デザイン画像生成処理（図１５のステップＳ６）の内容を具体的に示すフローチャートである。
図１６に示すように、中間デザイン画像生成部５４のパーツレイアウト算出部５４１は、図１５のステップＳ２において選択されたデザイン画像に含まれている各デザインパーツｄｐの各データ（図１０参照）をデザインデータ保持部５１１から読み出して（ステップＳ２１）、この読み出されたデザイン画像に含まれている各デザインパーツｄｐのサイズデータ及び２つの位置データと、前述した爪領域情報検出部５３により検出されたユーザの印刷指Ｕ１の爪領域Ｔａの面積、横方向及び縦方向の長さ寸法とに基づいて、各デザインパーツｄｐの印刷サイズ及び印刷位置を算出する（ステップＳ２２、図２０から図２２、図２４から図２６参照）。
【００７２】
そして、中間デザイン画像生成部５４は、パーツレイアウト算出部５４１により算出された各デザインパーツｄｐの印刷サイズ及び印刷位置と、これら各デザインパーツｄｐのイメージデータとに基づいてユーザの爪領域Ｔａの面積及び横方向及び縦方向の長さ寸法に合った印刷サイズ及び印刷位置で各デザインパーツｄｐを配置した中間デザイン画像Ｇを生成する。（ステップＳ２３）。
中間デザイン画像生成部５４において生成された中間デザイン画像Ｇは、記憶部５１の中間デザイン画像保持部５１３に記憶される。
【００７３】
中間デザイン画像Ｇが生成されると、図１５に戻って、パーツ位置判断部５５は、図２９に示すように、爪領域情報検出部５３によって検出された爪領域Ｔａの輪郭線（図２９において破線で示す）と中間デザイン画像生成部５４によって生成された中間デザイン画像Ｇとを重ね合わせる（ステップＳ７）。そして、例えば画像の左上端部等の所定位置から順に走査（スキャン）していき、中間デザイン画像Ｇの画像データに含まれるデザインパーツｄｐの座標値と爪領域Ｔａの輪郭線の座標値とを比較して、デザインパーツｄｐの全てが爪領域Ｔａ内に収まっているか否かを判断する（ステップＳ８）。そして、パーツ位置判断部５５によって中間デザイン画像Ｇにおけるデザインパーツｄｐの全てが爪領域Ｔａ内に収まっていると判断された場合（ステップＳ８；ＹＥＳ）には、この中間デザイン画像Ｇの画像データを印刷用データとして記憶部５１に記憶させる。
【００７４】
パーツ位置判断部５５により、中間デザイン画像Ｇの画像データに含まれるデザインパーツｄｐの全てが爪領域Ｔａ内に収まっていないと判断された場合（ステップＳ８；ＮＯ）には、次に、中間デザイン画像Ｇを移動させるデザイン画像移動処理（ステップＳ９）が行われる。
図１７は、デザイン画像移動処理（図１５のステップＳ９）の内容を具体的に示すフローチャートである。
パーツ位置判断部５５によってデザインパーツｄｐの一部が爪領域Ｔａ内に収まっていないと判断された場合（図１５のステップＳ８；ＮＯ）には、図１７に示すように、デザイン画像移動部５６の外周枠設定部５６１は、中間デザイン画像Ｇの外周を画する枠である外周枠Ｆ１を設定する（ステップＳ３１）。次に、外周枠位置判断部５６２は、図３１（Ａ）に示すように、外周枠設定部５６１によって得られた外周枠Ｆ１（図３１（Ａ）において実線で示す。）を爪領域情報検出部５３によって検出された爪領域Ｔａの輪郭線（図３１（Ａ）において破線で示す。）と重ね合わせる（ステップＳ３２）。そして、所定位置から順に走査（スキャン）していき（例えば画像の一番上のラインから１ラインずつ、左から右に向かって順次走査）。そして、外周枠Ｆ１の座標値が爪領域Ｔａの輪郭線の座標値の内側（すなわち爪領域Ｔａ内となる範囲内）に収まっているか否かを判断する（ステップＳ３３）。
外周枠位置判断部５６２によって外周枠Ｆ１が爪領域Ｔａ内に収まっていないと判断されると（ステップＳ３３；ＮＯ）、外周枠調整部５６３は、まず外周枠Ｆ１が爪領域Ｔａ内に収まるように外周枠Ｆ１を縮小しながらｙ軸方向に上下に移動させてその位置と大きさを調整する（ステップＳ３４）。このとき、外周枠調整部５６３は、外周枠Ｆ１の縦横比を維持したまま外周枠Ｆ１を縮小する。外周枠調整部５６３による調整が行われると、外周枠位置判断部５６２は、調整後の外周枠Ｆ２を爪領域Ｔａに重ね合わせた状態で再度走査し、調整後の外周枠Ｆ２が爪領域Ｔａ内に収まっているか否かを判断する（ステップＳ３５）。外周枠位置判断部５６２が、外周枠調整部５６３による調整後の外周枠Ｆ２が爪領域Ｔａ内に収まっていると判断した場合（ステップＳ３５；ＹＥＳ）には、デザイン画像移動部５６は、中間デザイン画像Ｇを、その中心点（図３１（Ａ）及び図３１（Ｂ）において中心点Ｐ１。）が外周枠調整部による調整後の外周枠の中心点（図３１（Ｂ）において中心点Ｐ２。）と一致する位置まで、中心点Ｐ１と中心点Ｐ２との間の距離Ｌ分だけ上下方向（ｙ軸方向）に移動させる（ステップＳ３６）。
他方、外周枠位置判断部５６２が、外周枠調整部５６３による調整後の外周枠Ｆ２が爪領域Ｔａ内に収まっていないと判断した場合（ステップＳ３５；ＮＯ）には、ステップＳ３４に戻って外周枠位置判断部５６２により外周枠Ｆ２が爪領域Ｔａ内に収まったと判断されるまで処理を繰り返す。
【００７５】
デザイン画像移動部５６により、中間デザイン画像Ｇが移動された場合（図１７のステップＳ３６）には、図１５に戻って、パーツ位置判断部５５は、図１５に示すように、爪領域情報検出部５３によって検出された爪領域Ｔａの輪郭線（図３２において破線で示す）とデザイン画像移動部５６による移動後の中間デザイン画像Ｇとを重ね合わせる（ステップＳ１０）。そして、例えば画像の左上端部等の所定位置から順に走査（スキャン）していき、中間デザイン画像Ｇの画像データに含まれるデザインパーツｄｐの座標値と爪領域Ｔａの輪郭線の座標値とを比較して、デザインパーツｄｐの全てが爪領域Ｔａ内に収まっているか否かを判断する（ステップＳ１１）。そして、パーツ位置判断部５５によって移動後の中間デザイン画像Ｇにおけるデザインパーツｄｐの全てが爪領域Ｔａ内に収まっていると判断された場合（ステップＳ１１；ＹＥＳ）には、移動後の中間デザイン画像Ｇの画像データを印刷用データとして記憶部５１に記憶させる。
【００７６】
パーツ位置判断部５５により、移動後の中間デザイン画像Ｇの画像データに含まれるデザインパーツｄｐの一部が爪領域Ｔａ内に収まっていないと判断された場合（ステップＳ１１；ＮＯ）には、次に、中間デザイン画像Ｇを縮小させるデザイン画像縮小処理（ステップＳ１２）が行われる。
図１８は、デザイン画像縮小処理（図１５のステップＳ１２）の内容を具体的に示すフローチャートである。
パーツ位置判断部５５によってデザインパーツｄｐの一部が爪領域Ｔａ内に収まっていないと判断された場合（図１５のステップＳ１１；ＮＯ）には、図１８に示すように、デザイン画像縮小部５７の中間外周枠設定部５７１は、外周枠調整部５６３による調整後の外周枠Ｆ２（図３４（Ａ）において二点鎖線で示す枠）の座標値と調整前の外周枠Ｆ１の座標値（図３４（Ａ）及び図３４（Ｂ）において破線で示す枠）との各対応座標の平均値を算出してこの平均値を座標値とする中間外周枠Ｆ３（図３４（Ａ）及び図３４（Ｂ）において実線で示す枠）を設定する（ステップＳ４１）。
そして、デザイン画像縮小部５７は、まず、外周枠調整部５６３による調整前の外周枠Ｆ１から中間外周枠Ｆ３への縮小率Ｓ１を算出し（ステップＳ４２）、中間デザイン画像Ｇの中心点をデザイン画像移動部５６による外周枠Ｆ２の移動後の中心点Ｐ２と一致させたまま、中間デザイン画像Ｇを縮小率Ｓ１で縮小する（ステップＳ４３）。
デザイン画像縮小部５７によって、中間デザイン画像Ｇを縮小率Ｓ１で縮小すると、パーツ位置判断部５５は、爪領域情報検出部５３によって検出された爪領域Ｔａの輪郭線（図３４（Ｂ）において破線で示す）とデザイン画像縮小部５７による縮小後の中間デザイン画像Ｇとを重ね合わせる（ステップＳ４４）。そして、例えば画像の左上端部等の所定位置から順に走査（スキャン）していき、縮小後の中間デザイン画像Ｇの画像データに含まれるデザインパーツｄｐの座標値と爪領域Ｔａの輪郭線の座標値とを比較して、デザインパーツｄｐの全てが爪領域Ｔａ内に収まっているか否かを判断する（ステップＳ４５）。そして、パーツ位置判断部５５によって縮小後の中間デザイン画像Ｇにおけるデザインパーツｄｐの全てが爪領域Ｔａ内に収まっていると判断された場合（ステップＳ４５；ＹＥＳ、例えば図３４（Ｂ）参照）には、縮小後の中間デザイン画像Ｇの画像データを印刷用データとして記憶部５１に記憶させ、デザイン画像縮小処理を終了する。
【００７７】
他方、パーツ位置判断部５５によってデザインパーツｄｐの一部が爪領域Ｔａ内に収まっていないと判断された場合（ステップＳ４５；ＮＯ、例えば図３５（Ａ）参照）には、デザイン画像縮小部５７は、さらに、中間デザイン画像Ｇを外周枠調整部５６３による調整後の外周枠Ｆ２の大きさまで縮小しながらｙ軸方向に移動させる（ステップＳ４６）。
パーツ位置判断部５５は、爪領域情報検出部５３によって検出された爪領域Ｔａの輪郭線（図３５（Ａ）及び図３５（Ｂ）において破線で示す）とデザイン画像縮小部５７による縮小後の中間デザイン画像Ｇとを重ね合わせる（ステップＳ４７）。そして、例えば画像の左上端部等の所定位置から順に走査（スキャン）していき、縮小後の中間デザイン画像Ｇの画像データに含まれるデザインパーツｄｐの座標値と爪領域Ｔａの輪郭線の座標値とを比較して、デザインパーツｄｐの全てが爪領域Ｔａ内に収まっているか否かを判断する（ステップＳ４８）。
パーツ位置判断部５５によって縮小後の中間デザイン画像Ｇにおけるデザインパーツｄｐの一部が爪領域Ｔａ内に収まっていないと判断された場合（ステップＳ４８；ＮＯ）には、ステップＳ４６に戻って以下の処理を繰り返す。そして、パーツ位置判断部５５によって縮小後の中間デザイン画像Ｇにおけるデザインパーツｄｐの全てが爪領域Ｔａ内に収まっていると判断された場合（ステップＳ４８；ＹＥＳ）には、縮小後の中間デザイン画像Ｇの画像データを印刷用データとして記憶部５１に記憶させ、デザイン画像縮小処理を終了する。
【００７８】
図１５に戻って、パーツ位置判断部５５によって中間デザイン画像生成部５４により生成された中間デザイン画像Ｇにおけるデザインパーツｄｐの全てが爪領域Ｔａ内に収まっていると判断された場合（ステップＳ８；ＹＥＳ）、パーツ位置判断部５５によってデザイン画像移動部５６による移動後の中間デザイン画像Ｇにおけるデザインパーツｄｐの全てが爪領域Ｔａ内に収まっていると判断された場合（ステップＳ１１；ＹＥＳ）、及びパーツ位置判断部５５によってデザイン画像縮小部５７による縮小後の中間デザイン画像Ｇにおけるデザインパーツｄｐの全てが爪領域Ｔａ内に収まっていると判断された場合（図１８のステップＳ４８；ＹＥＳ）には、記憶部５１に記憶された印刷用データが本体制御部５２に出力され、本体制御部５２は、この印刷用データをユーザの指画像の爪領域Ｔａに重畳した画像をデザイン確認用画面１３２（図７参照）として表示部１３に表示させる（ステップＳ１３）。ユーザは、このデザイン確認用画面１３２を見て最終的な印刷イメージを確認し、この印刷イメージで印刷してよい場合には、操作部１２のＯＫ釦等の操作釦１２１を操作して印刷開始指示を入力する。本体制御部５２は、印刷開始指示が入力されたか否かを判断し（ステップＳ１４）、印刷開始指示が入力されたと判断する場合（ステップＳ１４；ＹＥＳ）には、印刷用データを印刷部４０に出力して、印刷用データに従って爪領域Ｔａに印刷を施すように印刷部４０を制御する。これにより、印刷部４０による印刷処理が開始される（ステップＳ１５）。
他方、ユーザがＯＫ釦等を操作せず、本体制御部５２が印刷開始指示が入力されないと判断する場合（ステップＳ１４；ＮＯ）には、本体制御部５２は、ステップＳ１に戻って、再度デザイン選択画面１３１を表示部１３に表示させ、以降の処理を繰り返す。
【００７９】
なお、ここでは、１本の印刷指Ｕ１に対する対応について述べたが、本実施形態のように、例えば４本等、複数の印刷指Ｕ１に対して同時に印刷処理を行う場合には、以上の処理を各印刷指Ｕ１についてそれぞれ繰り返すことにより、全ての印刷指Ｕ１について印刷処理を行う。
【００８０】
以上のように、本実施形態におけるネイルプリント装置１によれば、デザイン画像の画像データとユーザの爪領域Ｔａの大きさとに基づいて中間デザイン画像Ｇの画像データを生成するとともに、この中間デザイン画像Ｇの画像データに含まれるデザインパーツｄｐの全てが爪領域Ｔａ内に収まっているか否かを判断し、デザインパーツｄｐの一部が爪領域Ｔａ内に収まっていない場合には、デザインパーツｄｐの全てが爪領域Ｔａ内に収まるように中間デザイン画像Ｇを移動させる。このため、ユーザの爪領域Ｔａの大きさに応じてデザイン画像の大きさ等を調整する際に、各デザインパーツの形状が崩れたり、各デザインパーツ間の位置関係、各デザインパーツと爪領域の端部との位置関係が変わるのを防ぐことができるとともに、ユーザが選択したデザイン画像をそのイメージに近い形でできるだけ大きくユーザの爪領域Ｔａに印刷することができる。
また、中間デザイン画像Ｇを移動させた段階でデザインパーツｄｐが爪領域Ｔａ内に収まっているか否かを判断し、収まっていない場合には中間デザイン画像Ｇを縮小するため、図３７（Ａ）〜（Ｆ）のように、様々な形状の爪領域Ｔａに対して、ユーザが選択したデザイン画像のイメージに近いデザインをできるだけ大きくかつバランスよく印刷することができる。
また、デザインパーツｄｐの一部が爪領域Ｔａ内に収まっていないと判断された場合には、中間デザイン画像Ｇの外周枠Ｆ１を設定して、この外周枠Ｆ１が前記爪領域内に収まるように調整した調整後の外周枠Ｆ２と調整前の外周枠Ｆ１とのずれ量分だけ中間デザイン画像Ｇを移動させる。このため、中間デザイン画像Ｇの配置が大きく変わることがなく、ユーザによって選択されたデザイン画像のイメージにできるだけ近い状態を維持しつつ調整を行うことができる。
また、本実施形態では、中間デザイン画像Ｇの移動後に再度パーツ位置判断部５５によってデザインパーツｄｐの全てが爪領域Ｔａ内に収まっているか否かを判断し、デザインパーツｄｐの一部が爪領域Ｔａ内に収まっていない場合に、中間デザイン画像Ｇを縮小する。このため、移動のみで収まる場合には縮小せずに元の大きさのままデザインを印刷することができ、デザイン画像を可能な限り大きく印刷することができる。
また、デザイン画像縮小部５７は、調整後の外周枠Ｆ２の調整前の外周枠Ｆ１に対する縮小率に応じて中間デザイン画像を縮小するものであるため、過度に中間デザイン画像Ｇを縮小し過ぎることを防いで、デザイン画像をできるだけ大きく印刷することができる。
また、デザイン画像縮小部５７は、調整後の外周枠Ｆ２の座標値と調整前の外周枠Ｆ１の座標値との各対応座標の平均値を算出してこの平均値を座標値とする中間外周枠Ｆ３を設定し、まずこの中間外周枠Ｆ３内に収まる大きさまで中間デザイン画像を縮小し、それでも収まらない場合に調整後の外周枠Ｆ２内に収まる大きさまで中間デザイン画像を縮小する。このため、過度に中間デザイン画像Ｇを縮小し過ぎることを防いで、デザイン画像をできるだけ大きく印刷することができる。
また、爪領域Ｔａに印刷するデザイン画像のデータが、複数のデザインパーツｄｐから構成されており、個々のデザインパーツｄｐ毎にサイズデータ、位置データ、イメージデータが対応付けられた形でデザインデータ保持部５１１に記憶されており、ユーザの爪領域Ｔａの面積や形状（例えば縦方向の長さが長い（図２３参照）、横幅が広い（図２６参照）等）に合わせて、デザイン画像の大きさや形状を調整する際に、各デザインパーツｄｐ毎にその印刷サイズ、印刷位置を算出することができる。このため、デザイン画像全体を一つのデータとして保持してデザイン画像全体の縮尺率を変えて印刷用データを生成する場合と異なり、各デザインパーツｄｐの形状が崩れたり、各デザインパーツｄｐ間の位置関係、各デザインパーツｄｐと爪領域Ｔａの端部との位置関係が変わるのを防ぐことができ、ユーザがデザイン選択画面１３１で選択したデザイン画像をできるだけそのイメージに近い形でユーザの爪領域Ｔａに印刷することができる。
また、各デザインパーツｄｐのサイズデータは、デザイン画像を基準爪モデル上に配置した場合における各デザインパーツｄｐの面積と基準爪モデルの面積との相対的な面積比率により各デザインパーツｄｐのサイズを特定するものであり、各デザインパーツｄｐの位置データは、基準爪モデルの横方向の長さ及び縦方向の長さを基準としたときの相対的な位置関係により前記各デザインパーツｄｐの位置を特定するものであって、パーツレイアウト算出部５４１は、基準爪モデルの面積及び横方向及び縦方向の長さ寸法を爪領域情報検出部５３により検出されたユーザの爪領域Ｔａの面積及び横方向及び縦方向の長さ寸法に置き換えて、各デザインパーツｄｐの印刷サイズ及び印刷位置を算出するため、どのような面積や形状の爪領域Ｔａであっても、各デザインパーツｄｐの当該爪領域Ｔａに占める面積割合、相対位置を算出することで、簡易に各デザインパーツｄｐの印刷サイズ、印刷位置を算出することができる。
【００８１】
なお、本実施形態では、中間デザイン画像Ｇをユーザの爪領域Ｔａに重ね合わせた場合に、デザインパーツｄｐの一部が爪領域Ｔａからはみ出しているとパーツ位置判断部５５が判断した場合に、中間デザイン画像Ｇを上下方向（ｙ軸方向）に移動させる場合を例として示したが、中間デザイン画像Ｇを移動させる方向は上下方向（ｙ軸方向）に限定されない。
例えば、中間デザイン画像Ｇをｘ軸方向に移動させながら縮小してもよいし、上下方向（ｙ軸方向）ではなく、斜め方向に移動させながら縮小してもよいし、ｘ軸、ｙ軸双方に適宜移動させながら縮小してもよい。爪領域Ｔａの形状や選択されたデザイン画像によってはｘ軸方向や斜め方向に移動させた方が、中間デザイン画像Ｇが爪領域Ｔａ内に収まりやすい場合があるため、このような調整をすることも有効である。
また、本実施形態では、外周枠調整部５６３が外周枠Ｆ１を調整する際も、外周枠Ｆ１を縮小しながらｙ軸方向に沿って上下に移動させてその位置と大きさを調整する例を挙げて説明したが、外周枠調整部５６３による外周枠Ｆ１の調整についてもこれに限定されず、ｘ軸方向や斜め方向に移動させながら調整してもよい。
【００８２】
また、例えば、図３８（Ａ）、図３８（Ｂ）に示すように、爪領域Ｔａの上部だけが細い場合、パーツレイアウト算出部５４１の算出結果に基づく当初の配置では、デザイン画像に含まれるデザインパーツｄｐの一部が爪領域Ｔａの外側にはみ出してしまう場合であっても、中間デザイン画像Ｇをｙ軸に沿って上下方向（図３８（Ａ）の場合には下方向）に移動させれば、それだけで全てのデザインパーツｄｐが爪領域Ｔａ内に収まる場合もあり得る。よって、このような場合には、図３８（Ｂ）に示すように、デザイン画像移動部５６は、中間デザイン画像Ｇを縮小せずに移動させるだけで調整を行ってもよい。
また、本実施形態では、外周枠調整部５６３が外周枠Ｆ１を調整する際も、外周枠Ｆ１を移動させながら縮小してその位置と大きさを調整する例を挙げて説明したが、移動のみで外周枠Ｆ１が爪領域Ｔａ内に収まる場合には縮小せずに調整を行ってもよい。
【００８３】
また、本実施形態では、パーツ位置判断部５５が中間デザイン画像Ｇをユーザの爪領域Ｔａに重ね合わせた場合に、爪領域Ｔａからはみ出していると最初に判断したデザインパーツｄｐを基準として中間デザイン画像Ｇの移動等を行う場合を例としたが、外周枠Ｆ１の調整及び中間デザイン画像Ｇの移動等を行う基準は、爪領域Ｔａからはみ出していると最初に判断されたデザインパーツｄｐに限定されない。
例えば、画像全体を走査（スキャン）した後に、最もはみ出し量の大きいデザインパーツｄｐを基準としてもよいし、デザイン画像を構成するデザインパーツｄｐに予め重み付けを設けておき、重み付けされたデザインパーツｄｐのうちで爪領域Ｔａからはみ出しているものを基準としてもよい。
複数のデザインパーツｄｐが爪領域Ｔａからはみ出している場合にどのデザインパーツｄｐを基準として中間デザイン画像Ｇの移動等を行うかは特に限定されず、パーツ位置判断部５５が爪領域Ｔａからはみ出していると最初に判断したデザインパーツｄｐを基準としてもよいし、はみ出し量の多いものを基準にしてもよいし、はみ出していると判断されたデザインパーツｄｐについてそれぞれ同様の処理を繰り返すことにより順次対応するようにしてもよい。
【００８４】
また、本実施形態では、各デザインパーツｄｐの横方向（ｘ軸方向）の位置は、基準爪モデル（または爪領域Ｔａ）の上下左右を枠で囲い、デザインパーツｄｐをその左端が基準爪モデルの枠の左端に重なるように基準爪モデル（または爪領域Ｔａ）上に配置したときに、デザインパーツｄｐの中心が配置される位置を０％とし、デザインパーツｄｐをその右端が基準爪モデル（または爪領域Ｔａ）の枠の右端に重なるように基準爪モデル（または爪領域Ｔａ）上に配置したときに、デザインパーツｄｐの中心が配置される位置を１００％としたときの相対的な位置としたが、各デザインパーツｄｐの横方向（ｘ軸方向）の位置を定める基準となる０％の位置及び１００％の位置の定め方はここに例示したものに限定されない。
例えば、デザインパーツｄｐをその左端が基準爪モデルの枠の左端に重なるように基準爪モデル（または爪領域Ｔａ）上に配置したときに、デザインパーツｄｐの左端が配置される位置を０％とし、デザインパーツｄｐをその右端が基準爪モデル（または爪領域Ｔａ）の枠の右端に重なるように基準爪モデル（または爪領域Ｔａ）上に配置したときに、デザインパーツｄｐの右端が配置される位置を１００％と定めてもよい。
各デザインパーツｄｐの縦方向（ｙ軸方向）の位置を定める基準となる０％の位置及び１００％の位置の定め方についても同様である。
【００８５】
また、本実施形態では、爪領域Ｔａのデータとして、面積（Ｓ）をｄｏｔ数で表したもの、横方向（ｘ軸方向）の長さ寸法（Ｗ）及び縦方向（ｙ軸方向）の長さ寸法（Ｈ）をｄｏｔ数で表したものを保持するものとしたが、面積（Ｓ）、横方向（ｘ軸方向）の長さ寸法（Ｗ）及び縦方向（ｙ軸方向）の長さ寸法（Ｈ）のデータの持ち方はｄｏｔ数で表したものに限定されない。
【００８６】
また、本実施形態では、デザインデータ保持部５１１、爪領域データ保持部５１２が制御装置５０の記憶部５１内に設けられている場合を例としたが、デザインデータ保持部５１１、爪領域データ保持部５１２は制御装置５０の記憶部５１に設けられている場合に限定されず、別途記憶部が設けられていてもよい。
【００８７】
また、本実施形態では、４本の指に対して同時に印刷を行うことのできるネイルプリント装置１を例としたが、指を１本ずつ装置に挿入して順次印刷を行う装置に本発明を適用することも可能である。
【００８８】
その他、本発明が本実施形態に限定されず、適宜変更可能であることはいうまでもない。
【００８９】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
１又は複数のデザインパーツを含むデザイン画像の画像データが複数記憶されているデザイン画像記憶手段と、
指を撮影して指画像を得る撮影手段と、
この撮影手段によって取得された前記指画像から爪領域を抽出し、この爪領域の輪郭線の座標値を検出する爪領域情報検出手段と、
前記デザイン画像記憶手段に記憶されている前記複数のデザイン画像の中から一つのデザイン画像を選択するデザイン選択手段と、
このデザイン選択手段によって選択されたデザイン画像の画像データを前記デザイン画像記憶手段から読み出して、この読み出されたデザイン画像の画像データと前記爪領域情報検出手段により抽出された爪領域の大きさとに基づいて前記デザインパーツの配置を示す座標値を含む中間デザイン画像の画像データを生成する中間デザイン画像生成手段と、
この中間デザイン画像生成手段によって生成された前記中間デザイン画像の画像データに含まれる前記デザインパーツの座標値と前記爪領域情報検出手段によって検出された前記爪領域の輪郭線の座標値とを比較して、前記デザインパーツの全てが前記爪領域内に収まっているか否かを判断するパーツ位置判断手段と、
前記パーツ位置判断手段によって前記デザインパーツの一部が前記爪領域内に収まっていないと判断されたときに、前記デザインパーツの全てが前記爪領域内に収まるように前記中間デザイン画像を移動させるデザイン画像移動手段と、
前記デザイン画像移動手段による前記中間デザイン画像の移動後に、前記中間デザイン画像の画像データに基づく画像を前記爪領域に印刷する印刷手段と、
を備えていることを特徴とするネイルプリント装置。
＜請求項２＞
前記デザイン画像移動手段は、
前記パーツ位置判断手段によって前記デザインパーツの一部が前記爪領域内に収まっていないと判断されたときに、前記中間デザイン画像の外周枠を設定し、この外周枠の座標値を得る外周枠設定手段と、
この外周枠設定手段によって得られた前記外周枠の座標値と前記爪領域情報検出手段によって検出された前記爪領域の輪郭線の座標値とを比較して、前記外周枠が前記爪領域内に収まっているか否かを判断する外周枠位置判断手段と、
この外周枠判断手段によって前記外周枠が前記爪領域内に収まっていないと判断されたときに、前記外周枠が前記爪領域内に収まるように前記外周枠の位置及び／又は大きさを調整する外周枠調整手段と、
を含み、
この外周枠調整手段による調整の結果、前記外周枠位置判断手段によって前記外周枠が前記爪領域内に収まっていると判断されたときに、前記中間デザイン画像をその中心点が前記外周枠調整手段による調整後の前記外周枠の中心点と一致する位置まで移動させるものであることを特徴とする請求項１に記載のネイルプリント装置。
＜請求項３＞
前記パーツ位置判断手段は、前記デザイン画像移動手段による移動後の前記中間デザイン画像の画像データに含まれる前記デザインパーツの座標値と前記爪領域情報検出手段によって検出された前記爪領域の輪郭線の座標値とをさらに比較して、前記デザインパーツの全てが前記爪領域内に収まっているか否かを判断するものであり、
前記パーツ位置判断手段によって前記デザインパーツの一部が前記爪領域内に収まっていないと判断されたときに、前記中間デザイン画像を縮小するデザイン画像縮小手段をさらに備えていることを特徴とする請求項１又は請求項２に記載のネイルプリント装置。
＜請求項４＞
前記デザイン画像縮小手段は、前記外周枠調整手段による調整後の外周枠の、調整前の外周枠に対する縮小率に応じて前記中間デザイン画像を縮小するものであることを特徴とする請求項３に記載のネイルプリント装置。
＜請求項５＞
前記デザイン画像縮小手段は、前記外周枠調整手段による調整後の外周枠の座標値と調整前の外周枠の座標値との各対応座標の平均値を算出してこの平均値を座標値とする中間外周枠を設定する中間外周枠設定手段を含み、
この中間外周枠設定手段により設定された前記中間外周枠内に収まる大きさまで前記中間デザイン画像を縮小するものであることを特徴とする請求項３又は請求項４に記載のネイルプリント装置。
＜請求項６＞
前記デザイン画像記憶手段は、前記デザイン画像を構成している前記デザインパーツ毎にサイズデータ、位置データ、イメージデータを対応付けて記憶しているものであり、
前記爪領域情報検出手段は、前記指画像から爪領域を抽出し、この爪領域の面積と横方向及び縦方向の長さ寸法とを検出するものであって、
前記中間デザイン画像生成手段は、
前記デザイン画像に含まれている前記各デザインパーツのサイズデータ及び位置データと、前記爪領域情報検出手段により検出された前記爪領域の面積、横方向及び縦方向の長さ寸法とに基づいて、前記各デザインパーツの印刷サイズ及び印刷位置を算出するパーツレイアウト算出手段を含み、
このパーツレイアウト算出手段により算出された各デザインパーツの印刷サイズ及び印刷位置と、前記デザイン画像記憶手段から読み出されたデザイン画像に含まれている各デザインパーツのイメージデータとに基づいて前記中間デザイン画像を生成するものであることを特徴とする請求項１から請求項５に記載のネイルプリント装置。
＜請求項７＞
前記各デザインパーツのサイズデータは、前記デザイン画像を基準爪モデル上に配置した場合における各デザインパーツの面積と前記基準爪モデルの面積との相対的な面積比率により前記各デザインパーツのサイズを特定するものであり、
前記各デザインパーツの位置データは、前記基準爪モデルの横方向の長さ及び縦方向の長さを基準としたときの相対的な位置関係により前記各デザインパーツの位置を特定するものであって、
前記パーツレイアウト算出手段は、前記基準爪モデルの面積並びに横方向及び縦方向の長さ寸法を前記爪領域情報検出手段により検出された前記爪領域の面積並びに横方向及び縦方向の長さ寸法に置き換えて、前記各デザインパーツの印刷サイズ及び印刷位置を算出するものであることを特徴とする請求項６に記載のネイルプリント装置。
＜請求項８＞
指を撮影して指画像を得る撮影ステップと、
この撮影ステップにおいて取得された前記指画像から爪領域を抽出し、この爪領域の輪郭線の座標値を検出する爪領域情報検出ステップと、
１又は複数のデザインパーツを含むデザイン画像の画像データが複数記憶されているデザイン画像記憶手段の中から一つのデザイン画像が選択されると、この選択された一つのデザイン画像を前記デザイン画像記憶手段から読み出して、この読み出されたデザイン画像の画像データと前記爪領域情報検出ステップにおいて抽出された爪領域の大きさとに基づいて前記デザインパーツの配置を示す座標値を含む中間デザイン画像の画像データを生成する中間デザイン画像生成ステップと、
この中間デザイン画像生成ステップにおいて生成された前記中間デザイン画像の画像データに含まれる前記デザインパーツの座標値と前記爪領域情報検出ステップにおいて検出された前記爪領域の輪郭線の座標値とを比較して、前記デザインパーツの全てが前記爪領域内に収まっているか否かを判断するパーツ位置判断ステップと、
前記パーツ位置判断ステップにおいて前記デザインパーツの一部が前記爪領域内に収まっていないと判断されたときに、前記デザインパーツの全てが前記爪領域内に収まるように前記中間デザイン画像を移動させるデザイン移動ステップと、
前記デザイン移動ステップにおける前記中間デザイン画像の移動後に、前記中間デザイン画像の画像データに基づく画像を前記爪領域に印刷する印刷ステップと、
を含んでいることを特徴とする印刷制御方法。
＜請求項９＞
前記パーツ位置判断ステップは、前記デザイン画像移動ステップにおける移動後の前記中間デザイン画像の画像データに含まれる前記デザインパーツの座標値と前記爪領域情報検出ステップによって検出された前記爪領域の輪郭線の座標値とをさらに比較して、前記デザインパーツの全てが前記爪領域内に収まっているか否かを判断するものであり、
前記パーツ位置判断ステップによって前記デザインパーツの一部が前記爪領域内に収まっていないと判断されたときに、前記中間デザイン画像を縮小するデザイン画像縮小ステップをさらに備えていることを特徴とする請求項８に記載の印刷制御方法。
【符号の説明】
【００９０】
１      ネイルプリント装置
２      ケース本体
２０ａ  印刷指挿入部
３０    撮影部
４０    印刷部
５０    制御装置
５１    記憶部
５２    本体制御部
５３    爪領域情報検出部
５４    中間デザイン画像生成部
５５    パーツ位置判断部
５６    デザイン画像移動部
５７    デザイン画像縮小部
５１１  デザインデータ保持部
５１２  爪領域データ保持部
５１３  中間デザイン画像保持部
５４１    パーツレイアウト算出部
５６１    外周枠設定部
５６２    外周枠位置判断部
５６３    外周枠調整部
５７１    中間外周枠設定部
ｄｐ    デザインパーツ
Ｆ１    外周枠
Ｆ２    調整後の外周枠
Ｆ３    中間外周枠
Ｇ      中間デザイン画像
Ｔ      爪
Ｔａ    爪領域
Ｕ１    印刷指
Ｕ２    非印刷指
【図１】
0005375894.tif 000002
【図２】
0005375894.tif 000003
【図３】
0005375894.tif 000004
【図４】
0005375894.tif 000005
【図５】
0005375894.tif 000006
【図６】
0005375894.tif 000007
【図７】
0005375894.tif 000008
【図８】
0005375894.tif 000009
【図９】
0005375894.tif 000010
【図１０】
0005375894.tif 000011
【図１１】
0005375894.tif 000012
【図１２】
0005375894.tif 000013
【図１３】
0005375894.tif 000014
【図１４】
0005375894.tif 000015
【図１５】
0005375894.tif 000016
【図１６】
0005375894.tif 000017
【図１７】
0005375894.tif 000018
【図１８】
0005375894.tif 000019
【図１９】
0005375894.tif 000020
【図２０】
0005375894.tif 000021
【図２１】
0005375894.tif 000022
【図２２】
0005375894.tif 000023
【図２３】
0005375894.tif 000024
【図２４】
0005375894.tif 000025
【図２５】
0005375894.tif 000026
【図２６】
0005375894.tif 000027
【図２７】
0005375894.tif 000028
【図２８】
0005375894.tif 000029
【図２９】
0005375894.tif 000030
【図３０】
0005375894.tif 000031
【図３１】
0005375894.tif 000032
【図３２】
0005375894.tif 000033
【図３３】
0005375894.tif 000034
【図３４】
0005375894.tif 000035
【図３５】
0005375894.tif 000036
【図３６】
0005375894.tif 000037
【図３７】
0005375894.tif 000038
【図３８】
0005375894.tif 000039